(57)【要約】ネットワーク管理システムは、異なるカテゴリに属する複数のネットワークが統合されてなりカテゴリ毎に少なくとも１つのネットワークの管理装置が用意された統合ネットワークを構成するトレイルに関するトレイル関連情報として、トレイルの構成情報と、トレイルの名称情報と、トレイルの管理業務に関する業務関連情報を管理するトレイル管理部と、トレイル関連情報に基づいて、管理装置側で管理されているトレイルの管理業務を実施するための管理装置の操作画面を呼び出す呼出部とを含む。
2004054173.tif 000002
【特許請求の範囲】
【請求項１】
異なるカテゴリに属する複数のネットワークが統合されてなり、カテゴリ毎に少なくとも１つのネットワークの管理装置が用意された統合ネットワークを構成するトレイルに関するトレイル関連情報として、トレイルの構成情報と、トレイルの名称情報と、トレイルの管理業務に関する業務関連情報を管理する管理手段と、
前記トレイル関連情報に基づいて、管理装置側で管理されているトレイルの管理業務を実施するための管理装置の操作画面を呼び出す呼出手段と、
を含むネットワーク管理システム。
【請求項２】
前記管理手段は、前記業務関連情報として、管理装置の属するカテゴリ種別と、トレイルの管理業務種別と、トレイル種別と、管理装置の操作画面情報とが対応づけて登録された業務管理テーブルを管理し、
前記呼出手段は、操作対象の管理装置およびそのカテゴリ，管理業務種別，ならびにトレイル種別が管理対象のトレイルについて指定された場合に、前記業務管理テーブルに登録された対応する操作画面情報を対応する管理装置に与え、この管理装置から得られる操作画面を表示装置に表示する
請求項１に記載のネットワーク管理システム。
【請求項３】
前記操作対象の管理装置およびそのカテゴリ，管理業務種別，ならびにトレイル種別を管理対象のトレイルについて指定するための指定画面が提供され、
前記指定画面には、トレイルの管理業務種別に関連する全ての操作対象の管理装置の識別情報が表示される
請求項２に記載のネットワーク管理システム。
【請求項４】
前記管理手段は、カテゴリ毎に用意され、自身に対応するカテゴリが指定された場合に、対応する操作画面情報を前記業務管理テーブルから読み出して前記呼出手段に与える連携機能部を含む
請求項２または３に記載のネットワーク管理システム。
【請求項５】
前記トレイル構成情報および前記トレイル名称情報を登録するための登録画面を提供する登録画面提供手段をさらに備え、
前記管理手段は、前記トレイル構成情報が登録されるトレイル構成管理テーブルを管理し、
前記トレイル構成管理テーブルは、前記登録画面を通じて得られる、或るトレイルについてのトレイル種別と、このトレイルを収容する一レイヤ上位の上位トレイルの有無と、上位トレイルがある場合におけるこのトレイルの上位トレイルに対する収容位置と、このトレイルの管理業務に関連する管理装置の識別情報とを含む１以上のレコードを記憶する
請求項１〜４のいずれかに記載のネットワーク管理システム。
【請求項６】
前記トレイル構成管理テーブルは、或るトレイルを収容する複数の上位トレイルがある場合には、この或るトレイルについて、上位トレイル毎の前記レコードを記憶する
請求項５に記載のネットワーク管理システム。
【請求項７】
前記管理手段は、前記トレイル名称情報が登録されるトレイル名称管理テーブルを管理し、
前記トレイル名称管理テーブルは、前記登録画面を通じて得られるトレイルを管理するための第１トレイル名称と、このトレイルの管理業務に関連するカテゴリ毎に設定される第２トレイル名称とをトレイル毎に記憶する
請求項５または６に記載のネットワーク管理システム。
【請求項８】
前記登録画面提供手段は、登録対象のトレイルのトレイル種別を含む複数の名称要素の入力欄を含む第１トレイル名称の登録画面を提供し、
前記管理手段は、前記第１トレイル名称の登録画面を用いて入力される前記複数の名称要素の積み上げまたは組み合わせにより第１トレイル名称を生成し、前記トレイル名称管理テーブルに登録する第１トレイル名称生成手段を含む
請求項７に記載のネットワーク管理システム。
【請求項９】
前記登録画面提供手段は、少なくとも１つの名称要素について複数の候補を提示し、提示された候補のうちの１つが指定されることにより、前記少なくとも１つの名称要素が入力される
請求項８に記載のネットワーク管理システム。
【請求項１０】
前記管理手段は、カテゴリ毎に用意された編集パターンに従って第１トレイル名称を編集することにより第２トレイル名称を生成する第２トレイル名称生成手段を含み、
前記第２トレイル名称生成手段は、登録対象のトレイルの管理業務に関連するカテゴリ毎の第２トレイル名称を生成し、前記トレイル名称管理テーブルに登録する
請求項８または９に記載のネットワーク管理システム。
【請求項１１】
前記登録画面提供手段は、登録対象のトレイルが少なくとも１つの上位トレイルに収容される場合に、上位トレイルに対する収容位置を登録するための収容位置登録画面を提供し、
前記収容位置登録画面は、上位トレイルの検索環境を提供するとともに、検索された上位トレイルについての収容状況を表示する
請求項５〜１０のいずれかに記載のネットワーク管理システム。
【請求項１２】
前記収容位置登録画面は、登録対象のトレイルが複数の上位トレイルに収容される場合に、これらの上位トレイルに対する収容位置を同時に登録するための作業領域を提供する
請求項１１に記載のネットワーク管理システム。
【請求項１３】
前記管理手段は、或る上位トレイルに収容されるトレイルのレコードを前記トレイル構成管理テーブルに登録する場合に、前記トレイル構成管理テーブルに既に登録されている前記或る上位トレイルについてのトレイルの管理業務に関連する管理装置の識別情報を当該トレイルの管理業務に関連する管理装置の識別情報として登録する
請求項６に記載のネットワーク管理システム。
【発明の詳細な説明】
【技術分野】  本発明は、ネットワーク管理システムに関し、特に、異なるカテゴリに属する複数のネットワークが統合された統合ネットワークを管理する技術に関する。
【背景技術】  近年、様々な通信サービスのカテゴリに属するネットワークが統合（相互接続）されている。通信サービスのカテゴリは、ＩＰ（Ｉｎｔｅｒｎｅｔ  Ｐｒｏｔｏｃｏｌ），ＡＴＭ（Ａｓｙｎｃｈｒｏｎｏｕｓ  Ｔｒａｎｓｆｅｒ  Ｍｏｄｅ），バックボーン等の多岐にわたり、その組み合わせも多岐にわたる。
統合ネットワークを一元管理するための試みの一つとして、ＴＭＮ（Ｔｅｌｅｃｏｍｍｕｎｉｃａｔｉｏｎｓ  Ｍａｎａｇｅｍｅｎｔ  Ｎｅｔｗｏｒｋ）勧告による、階層化されたネットワーク管理システムが提唱されている。ＴＭＮは通信管理網を指し、ＴＭＮ勧告は複数のネットワークを相互接続した環境を管理するためにＩＴＵ−Ｔで標準化された規定である。
統合対象の各ネットワークは、ユーザのデータを伝送する伝送装置としての複数のネットワーク・エレメント（ＮＥ）と、各ＮＥを管理及び制御する装置としてのネットワーク・エレメント−オペレーション・システム（ＮＥ−ＯＰＳ）とを含んでいる。ＮＥ−ＯＰＳはネットワーク・マネージング・システム（Ｎｅｔｗｏｒｋ  Ｍａｎａｇｉｎｇ  Ｓｙｓｔｅｍ：ＮＭＳ）とも呼ばれる。
近年では、ＮＥ及びＮＥ−ＯＰＳは、マルチベンダ化によってカテゴリ（Ｃａｔｅｇｏｒｉｅ）毎に導入されている。ＮＥはカテゴリ毎に異なる機能（多重方式，交換方式等）を有している。また、ＮＥが持つ機能に対応するＮＥ−ＯＰＳが提供されている。従って、現状の統合ネットワークはカテゴリ単位で分割及び運用されている。
このため、統合ネットワークの運用者は、統合ネットワークを運用（管理，監視，制御等）する場合には、統合ネットワーク全体を把握するために、カテゴリ間の接続関係を意識しなければならない。そこで、運用者は、統合ネットワークを運用するために、カテゴリ間の接続関係を管理するための資料を作成し、この資料を参照しながら各ＮＥ−ＯＰＳを操作していた。ところが、運用者は、各カテゴリのＮＥ−ＯＰＳを個別に操作しなければならなかった。このため、例えば、運用者が２以上のカテゴリに跨るパスを設定する場合に、設定漏れが発生することがあった。
また、昨今のＮＥ及びＮＥ−ＯＰＳは、コストダウン等の実施によって、低価格及び小規模になっている。言い換えれば、１台のＮＥ−ＯＰＳで管理可能なＮＥの台数が減少している。このため、ネットワークの規模が大きくなるほど、同一のカテゴリに属するＮＥ−ＯＰＳの台数が増加する。従って、運用者の負荷が増大する傾向にある。
このように、現状での統合ネットワークは、カテゴリ毎に且つＮＥ−ＯＰＳ毎に分割され運用されている。このため、運用者は、ネットワークとＮＥ及びＮＥ−ＯＰＳとの関係（カテゴリ間の接続関係）を常に意識し、操作すべき複数のＮＥ−ＯＰＳを割り出し、割り出した複数のＮＥ−ＯＰＳの操作を個別に実施しなければならなかった。従って、統合ネットワークのトータル的な管理及び運用（一元管理）は、運用者にとって大きな負担であった。
上述した事情から、ＴＭＮ勧告に従って統合ネットワークを一元管理するためのシステムが望まれている。これに対し、様々なカテゴリに属する複数のＮＥ−ＯＰＳの統合管理機能と、各ＮＥ−ＯＰＳの制御機能とを併せ持つ管理システムを構築する手法（「従来手法」と称する）がある。
しかしながら、従来手法では、各ＮＥ−ＯＰＳが持つ機能と同様の機能と統合管理機能とを開発しなければならない。このため、管理システムの開発の規模が増大する。開発規模の増大によって、開発期間（管理システムの構築に要する期間）が長くなる。従って、需要に対して適正な時期に（タイムリーに）管理システムを提供することが困難であった。
さらに、ＮＥのエンハンス（バージョンアップ）及び／又は新しいネットワークカテゴリが管理システムの開発終了時期に発生していることがある。このようなネットワークの変革が発生している場合には、さらなる開発が必要となる。従って、従来手法では、ネットワークの変革に適正に追従する管理システムを提供することが困難であった。
以上のように、従来手法では、開発規模が増大してしまい、提供時期には、内容が陳腐化する可能性があった。また、開発母体の規模が大きいため、ネットワークの変革に追従することが困難であった。
また、この出願に係る先行技術として、下記の特許文献１に開示された技術（以下、「従来技術１」という）と、特許文献２に開示された技術（以下、「従来技術２」という）とがある。
従来技術１は、複数の層で連携した操作を実施できるユーザインターフェイスを備えたネットワーク複数層管理システムを開示している。従来技術１は、階層毎のユーザインターフェイスを階層毎のマネージャから分離し、統合インターフェイスモジュールに実装し、ユーザインターフェイス間で連携動作することを特徴としている。しかしながら、従来技術１は、既存システムから分離されるユーザインターフェイスが有している全ての機能に対し、マネージャ間で再評価を行わなければならない。また、階層毎のユーザインターフェイス間に通信インターフェイスを設けなれればならず、さらに、ユーザインターフェイス間での様々な取り決め（エラー処理等）を決定しなければならない。
一方、従来技術２は、各サブネットワークを夫々管理するサブネットワークマネージャと、複数のサブネットワークマネージャを連携してエンド・トゥ・エンドの通信パスを管理する連携管理マネージャとを階層的に設け、各サブネットワークマネージャで管理される分断された端点及び中継マネージメント・オブジェクト（ＭＯ）を連携管理マネージャのエンド・トゥ・エンドＭＯにより連携することによってネットワーク全体の故障規模及び影響範囲を得ることを特徴とする。このように、従来技術２ではサブネットワークの運用はサブネットワークマネージャ毎に運用され、運用の結果を連携管理マネージャが連携する。このため、サブネットワークマネージャでネットワーク情報を設定する場合にネットワーク全体を確認する手段がなく、サブネットワークマネージャで矛盾（パスの収容位置が異なる）するパスが登録されてしまう可能性があり、これによって誤った情報が運用者に提供される可能性があった。
なお、本願発明に関連する先行技術として、下記の特許文献３に記載されたネットワーク管理装置がある。
【特許文献１】    特開平１０−１２４４２５号公報
【特許文献２】    特開平９−２４７２０１号公報
【特許文献３】    特開平１１−３３１１８８号公報
【発明の開示】
本発明の目的の一つは、開発規模を抑えることが可能なネットワーク管理システムを提供する統合ネットワーク管理システムを提供することである。
また、本発明の目的の一つは、運用者のネットワークの管理の負担を軽減することができるネットワーク管理システムを提供することである。
本発明は、異なるカテゴリに属する複数のネットワークが統合されてなり、カテゴリ毎に少なくとも１つのネットワークの管理装置が用意された統合ネットワークを構成するトレイルに関するトレイル関連情報として、トレイルの構成情報と、トレイルの名称情報と、トレイルの管理業務に関する業務関連情報を管理する管理手段と、前記トレイル関連情報に基づいて、管理装置側で管理されているトレイルの管理業務を実施するための管理装置の操作画面を呼び出す呼出手段とを含むネットワーク管理システムである。
本発明は、管理手段が、前記業務関連情報として、管理装置の属するカテゴリ種別と、トレイルの管理業務種別と、トレイル種別と、管理装置の操作画面情報とが対応づけて登録された業務管理テーブルを管理し、呼出手段が、操作対象の管理装置およびそのカテゴリ，管理業務種別，ならびにトレイル種別が管理対象のトレイルについて指定された場合に、前記業務管理テーブルに登録された対応する操作画面情報を対応する管理装置に与え、この管理装置から得られる操作画面を表示装置に表示するように構成するのが好ましい。
また、本発明は、操作対象の管理装置およびそのカテゴリ，管理業務種別，ならびにトレイル種別を管理対象のトレイルについて指定するための指定画面が提供され、指定画面が、トレイルの管理業務種別に関連する全ての操作対象の管理装置の識別情報が表示されるように構成するのが好ましい。
また、本発明は、管理手段が、カテゴリ毎に用意され、自身に対応するカテゴリが指定された場合に、対応する操作画面情報を前記業務管理テーブルから読み出して前記呼出手段に与える複数の連携機能部を含むように構成するのが好ましい。
また、本発明は、トレイル構成情報およびトレイル名称情報を登録するための登録画面を提供する登録画面提供手段をさらに備え、管理手段がトレイル構成情報が登録されるトレイル構成管理テーブルを管理し、トレイル構成管理テーブルが前記登録画面を通じて得られる、或るトレイルについてのトレイル種別と、このトレイルを収容する一レイヤ上位の上位トレイルの有無と、上位トレイルがある場合におけるこのトレイルの上位トレイルに対する収容位置と、このトレイルの管理業務に関連する管理装置の識別情報とを含む１以上のレコードを記憶するように構成するのが好ましい。
また、本発明は、トレイル構成管理テーブルが、或るトレイルを収容する複数の上位トレイルがある場合には、この或るトレイルについて、上位トレイル毎の前記レコードを記憶するように構成するのが好ましい。
また、本発明は、管理手段が、前記トレイル名称情報が登録されるトレイル名称管理テーブルを管理し、トレイル名称管理テーブルが、前記登録画面を通じて得られるトレイルを管理するための第１トレイル名称と、このトレイルの管理業務に関連するカテゴリ毎に設定される第２トレイル名称とをトレイル毎に記憶するように構成するのが好ましい。
また、本発明は、登録画面提供手段が登録対象のトレイルのトレイル種別を含む複数の名称要素の入力欄を含む第１トレイル名称の登録画面を提供し、管理手段が前記第１トレイル名称の登録画面を用いて入力される前記複数の名称要素の積み上げまたは組み合わせにより第１トレイル名称を生成し、前記トレイル名称管理テーブルに登録する第１トレイル名称生成手段を含むように構成するのが好ましい。
また、本発明は、登録画面提供手段が少なくとも１つの名称要素について複数の候補を提示し、提示された候補のうちの１つが指定されることにより、前記少なくとも１つの名称要素が入力されるように構成するのが好ましい。
また、本発明は、管理手段がカテゴリ毎に用意された編集パターンに従って第１トレイル名称を編集することにより第２トレイル名称を生成する第２トレイル名称生成手段を含み、第２トレイル名称生成手段が、登録対象のトレイルの管理業務に関連するカテゴリ毎の第２トレイル名称を生成し、前記トレイル名称管理テーブルに登録するように構成するのが好ましい。
また、本発明は、登録画面提供手段が登録対象のトレイルが少なくとも１つの上位トレイルに収容される場合に、上位トレイルに対する収容位置を登録するための収容位置登録画面を提供し、収容位置登録画面が上位トレイルの検索環境を提供するとともに、検索された上位トレイルについての収容状況を表示するように構成するのが好ましい。
また、本発明は、収容位置登録画面が登録対象のトレイルが複数の上位トレイルに収容される場合に、これらの上位トレイルに対する収容位置を同時に登録するための作業領域を提供するように構成するのが好ましい。
また、本発明は、管理手段が或る上位トレイルに収容されるトレイルのレコードを前記トレイル構成管理テーブルに登録する場合に、前記トレイル構成管理テーブルに既に登録されている前記或る上位トレイルについてのトレイルの管理業務に関連する管理装置の識別情報を当該トレイルの管理業務に関連する管理装置の識別情報として登録するように構成するのが好ましい。
【図面の簡単な説明】  Ｆｉｇ．１は、ネットワーク管理システムの概要説明図であり；
Ｆｉｇ．２は、ネットワーク管理システムの動作概要を示すブロック図であり；。
Ｆｉｇ．３は、管理システムでトレイル構成が管理される統合ネットワーク、およびそのトレイル構成の概念図であり；
Ｆｉｇ．４は、統合ネットワークのトレイル構成の情報を保持するトレイル構成管理テーブル２５の概念図であり；
Ｆｉｇ．５は、トレイル構成によるネットワークの表現例を示す図であり；
Ｆｉｇ．６は、トレイル管理部にて管理されるトレイル名称管理テーブルの例を示す図であり；
Ｆｉｇ．７Ａ及び７Ｂは、トレイル名称登録に係る構成及び方法の実施形態を示す図であり；
Ｆｉｇ．８は、業務カテゴリ単位のＮＥ−ＯＰＳ連携テーブルの例を示す説明図であり；
Ｆｉｇ．９は、カテゴリ単位ＮＥ−ＯＰＳ管理テーブルの例を示す説明図であり；
Ｆｉｇ．１０は、トレイル構成入力画面の表示例を示す図であり；
Ｆｉｇ．１１は、ＳＤＨネットワークの例、およびＦｉｇ．１０に示した入力画面を用いたＳＤＨネットワークの収容表示の例を示す図であり；
Ｆｉｇ．１２は、トレイルの構成を新規登録する場合の入力画面（トレイル構成登録画面）の操作の様子を示す図であり；
Ｆｉｇ．１３は、トレイルの構成を新規登録する場合の入力画面（トレイル構成登録画面）の操作の様子を示す図であり；
Ｆｉｇ．１４は、カテゴリ単位ＮＥ−ＯＰＳとカテゴリ単位ＮＥおよびそのＮＥにて構築される統合ネットワークの例を示す図であり；
Ｆｉｇ．１５は、ネットワーク管理システムで管理されるトレイル管理の連携ＯＰＳ情報を示す図であり；
Ｆｉｇ．１６は、連携時における管理システム（Ｗｅｂ端末およびトレイル管理部）による動作例を示す図であり；
Ｆｉｇ．１７は、連携時における入力画面の表示例を示す図であり；
Ｆｉｇ．１８は、連携時における入力画面の表示例を示す図であり；
Ｆｉｇ．１９は、連携時における入力画面の表示例を示す図であり；
Ｆｉｇ．２０は、動作例におけるトレイル構成管理テーブルの内容を示す図であり；
Ｆｉｇ．２１は、上位収容を持つトレイルの自動認識の様子を示す図であり；
Ｆｉｇ．２２は、動作例におけるトレイル構成管理テーブルの内容を示す図であり；
Ｆｉｇ．２３は、上位収容を持つトレイルの自動認識の様子を示す図であり；
Ｆｉｇ．２４は、ネットワーク管理システムの操作フローを示す図であり；
Ｆｉｇ．２５は、ネットワーク管理システムの操作における画面入力の流れを示す図である。
【発明を実施するための最良の形態】  以下、図面を参照して本発明を実施するための最良の形態を説明する。以下の実施形態で説明する構成は例示であり、本発明は実施形態の構成に限定されない。
〈概要〉
Ｆｉｇ．１は、本発明によるネットワーク管理システム（以下、単に「管理システム」と表記する）の概要説明図である。管理システムは、カテゴリ単位に分散化されたネットワーク運用を統合した、ＴＭＬ勧告に於ける、ＮＭＬ（Ｎｅｔｗｏｒｋ  Ｍａｎａｇｅｍｅｎｔ  Ｌａｙｅｒ）に関する、ネットワーク管理方式を実現する。
前提として、本発明による管理システムが適用される統合ネットワークを説明する。統合ネットワークは、異なるカテゴリに夫々属する複数のネットワーク（サブネットワーク）が統合されてなる。Ｆｉｇ．１に示す例では、統合ネットワークは、カテゴリ１〜３に夫々属するサブネットワークが統合されてなる。
各カテゴリ（ネットワーク）は、少なくとも１つのＮＥ（伝送装置）と、配下のＮＥを管理および制御する少なくとも１つのＮＥ−ＯＰＳ（管理装置）とを含んでいる。Ｆｉｇ．１に示す例では、カテゴリ１は、２台のＮＥ−ＯＰＳ（ＮＥ−ＯＰＳ１０１＃１および１０１＃２）を含む。ＮＥ−ＯＰＳ１０１＃１はＮＥ２０１＃１および２０１＃２）を配下に持つ。ＮＥ−ＯＰＳ１０１＃２はＮＥ２０１＃３を配下に持つ。また、カテゴリ２は１台のＮＥ−ＯＰＳ１０２＃１を含む。ＮＥ−ＯＰＳ１０２＃１はＮＥ２０２＃１およびＮＥ２０２＃２を管理および制御する。また、カテゴリ３は、３台のＮＥ−ＯＰＳ（ＮＥ−ＯＰＳ１０３＃１，１０３＃２および１０３＃３）を含む。ＮＥ−ＯＰＳ１０３＃１はＮＥ２０３＃１およびＮＥ２０３＃２を配下に持つ。ＮＥ−ＯＰＳ１０３＃２はＮＥ２０３＃３およびＮＥ２０３＃４を配下に持つ。ＮＥ−ＯＰＳ１０３＃３はＮＥ２０３＃５を配下に持つ。なお、ＮＥ−ＯＰＳ及びＮＥの符号に含まれる「＃Ｘ」は、ＮＥ−ＯＰＳ及びＮＥに割り当てられた番号を示し、「Ｘ」は１以上の整数である。
また、Ｆｉｇ．１に示した統合ネットワークは、以下のようなトレイルを持つ。ここに、「トレイル」はパス（回線）を指す。Ｆｉｇ．１では、パスＡがＮＥ２０１＃とＮＥ２０２＃２との間（カテゴリ１−２間）に設定されている。また、パスＢがＮＥ２０２＃２とＮＥ２０３＃３との間（カテゴリ２−３間）に設定されている。また、パスＣがＮＥ２０３＃３とＮＥ２０３＃１との間（カテゴリ３）に設定されている。また、パスＤがＮＥ２０３＃１とＮＥ２０２＃１との間（カテゴリ３−２間）に設定されている。また、パスＥがＮＥ２０２＃１とＮＥ２０１＃３との間（カテゴリ２−１間）に設定されている。パスＡ〜Ｅは、例えば光ファイバのようなＮＥ間を接続する物理回線を用いて実現される。
このようなパスＡ〜Ｅを持つ統合ネットワークでは、Ｆｉｇ．１に示すように、パスＸを論理的に接続（設定）することができる。パスＸは、ＮＥ２０１＃１−ＮＥ２０１＃２間で終端され、各ＮＥ２０２＃２，２０３＃３，２０３＃１及び２０２＃１を通過する。
各ＮＥ−ＯＰＳは、プロセッサ（ＣＰＵ等），主記憶，補助記憶，通信制御装置等を備えたコンピュータを用いて実現される。各ＮＥ−ＯＰＳでは、プロセッサが補助記憶に記憶された各種のプログラム（ＯＳ及びアプリケーション）を主記憶にロードして実行する。これによって、管理範囲のネットワークを管理するＮＭ（Ｎｅｔｗｏｒｋ  Ｍａｎａｇｅｍｅｎｔ）管理機能部１１と、配下のＮＥを制御するＮＥ制御機能部（Ｎｅｔｗｏｒｋ  Ｅｌｅｍｅｎｔ  Ｍａｎａｇｅｍｅｎｔ：ＮＥＭ）１２とが実現される。
ＮＭ管理機能部１１は、ＮＥ−ＯＰＳの管理範囲のネットワークを管理するための様々な情報を管理する。また、ＮＭ管理機能部１１は、運用者からの呼び出し指示（起動指示）に応じて自身が管理しているＮＥ−ＯＰＳを操作するための操作画面（制御画面）を提供する機能を持つ。ＮＥ制御機能部１２は、ＮＭ管理機能部１１からの指示に基づいて、配下のＮＥに対する制御指示を当該ＮＥに与える処理等を司る。
なお、ＮＥ−ＯＰＳの種類によっては、ＮＭ管理機能部１１とＮＥ制御機能部１２とが物理的に分離する場合がある。しかしながら、ＮＥ管理機能部１１とＮＥ制御機能部１２との接続関係（データのやりとり等）は、これらが物理的に一体となっている場合と変わらない。このため、このようなＮＥ−ＯＰＳも本発明における「管理装置」に含まれる。以上説明したＮＥ−ＯＰＳ及びＮＥは、操作画面の呼び出しに係る構成（後述する）を除き、従来のものを用いることができる。
管理システムは、プロセッサ（ＣＰＵ等），主記憶，補助記憶，通信制御装置，入力装置（キーボード，ポインティングデバイス（マウス等）），出力装置（ディスプレイ，プリンタ）等を備え、各ＮＥ−ＯＰＳと通信回線を介して接続された１以上のコンピュータを用いて実現することができる。管理システムを実現する１以上のコンピュータは、プロセッサが補助記憶に記憶された各種のプログラム（ＯＳ及びアプリケーションプログラム）を実行することにより、管理システムとして機能する。
Ｆｉｇ．１に示す例では、管理システムは、運用者の操作端末（例えば、Ｗｅｂ端末）１０と、操作端末１０と通信回線を介して接続されたトレイル管理部２０を実現するコンピュータ（サーバマシン）とで実現されている。
操作端末１０は、運用者による操作に応じて、トレイル管理業務に係る各種の画面をディスプレイに表示したり、トレイル管理部２０からの情報に基づいてＮＥ−ＯＰＳの操作画面をディスプレイに表示したりする機能を持つ。
トレイル管理部２０は、統合ネットワークを構成するトレイルの構成を管理するとともに、必要なＮＥ−ＯＰＳの操作画面をＮＥ−ＯＰＳから呼び出すための情報を操作端末１０に与える。このため、トレイル管理部２０は、トレイル構成を登録・管理する機能と、運用者による統合ネットワークの管理業務（パス設定等）に際し、その業務遂行に当たって操作すべき複数のＮＥ−ＯＰＳ（連携すべき複数のＮＥ−ＯＰＳ）から操作画面を夫々呼び出すための情報を操作端末１０に与える機能とを実現する。また、トレイル管理部は、トレイル名称を登録・管理する機能をさらに含むこともできる。
例えば、Ｆｉｇ．１に示すように、運用者がパスＡ〜Ｅにそれぞれ収容されるパスＸを設定（接続）するために複数のＮＥ−ＯＰＳを操作する（連携操作する）場合には、運用者は予めパスＸのトレイル構成をトレイル管理部２０に登録する。その後、運用者はパスＸの設定に係る指示をトレイル管理部２０に入力する。
すると、トレイル管理部２０は、パスＸを設定するために連携操作される複数のＮＥ−ＯＰＳ（ＮＥ−ＯＰＳ１０１＃１，１０１＃２，１０２＃１，１０２＃１及び１０２＃３）について、各ＮＥ−ＯＰＳからパスＸを設定するための操作画面（パスＸの設定画面）をそれぞれ呼び出すための情報を操作端末１０に与える。操作端末１０はトレイル管理部２０からの情報に基づいて対応する設定画面を各ＮＥ−ＯＰＳから取得し、ディスプレイ上にそれぞれ呼び出す。運用者は、ディスプレイに表示された各設定画面を用いてパスＸの設定指示を入力する。各設定画面に入力された設定指示は、対応するＮＥ−ＯＰＳに与えられ、各ＮＥ−ＯＰＳのＮＥ制御機能部１２は、パスＡ〜Ｅを収容（終端又は通過させる）するＮＥを制御し、パスＸを設定する。このようにして、統合ネットワーク上にパスＸが設定される。
このように、管理システムは、運用者によるトレイルの管理業務において、管理対象のトレイル構成に基づいて、その管理業務について連携すべき複数のＮＥ−ＯＰＳからその操作画面をそれぞれ取得し、運用者に提供することができる。従って、運用者は、提供される各操作画面を用いて必要なデータ入力作業を行えば、所望の管理業務を遂行することができる。このため、設定漏れを防止することができる。
また、上記したパス設定のようなパスの管理業務に当たって、運用者は管理対象のパスに係る各ＮＥ−ＯＰＳがどのカテゴリに属しているか等のカテゴリ間の関係及びＮＥ−ＯＰＳ間の関係を把握しなくて済む。従って、運用者の負担が軽減される。
また、管理システムは、各ＮＥ−ＯＰＳ側で管理している操作画面を呼び出すための機能を持つが、ＮＥ−ＯＰＳの機能の一部を管理システム側で持つ（ＮＭ管理機能部を管理システム側に統合する）ものではない。従って、管理システムの開発の規模，期間及び費用を抑えることができる。
〈管理システムの動作概要〉
次に、管理システムの動作概要を説明する。Ｆｉｇ．２は、管理システムの動作概要を示すブロック図である。Ｆｉｇ．２に示す例では、管理システムは、操作端末１０に相当するＷｅｂ端末１０Ａと、トレイル管理部２０とを含む。
Ｆｉｇ．２では、管理システムは、カテゴリ１に属するＮＥ−ＯＰＳ１０１、およびカテゴリ１と異なるカテゴリ２に属するＮＥ−ＯＰＳ１０２とネットワークを通じて接続され、これらを管理する。Ｆｉｇ．２の例では、各ＮＥ−ＯＰＳ１０１，１０２は、Ｗｅｂ端末１０Ａとネットワークを介して接続されている。
ＮＥ−ＯＰＳ１０１は、配下のＮＥ２０１（カテゴリ１）と管理及び制御用のネットワークを通じて接続されている。同様に、ＮＥ−ＯＰＳ１０２は、配下のＮＥ２０２（カテゴリ２）と管理及び制御用のネットワークを通じて接続されている。
Ｗｅｂ端末１０Ａは、統合ネットワークの運用者によって操作される。Ｗｅｂ端末１０Ａは、プログラムの実行によって、運用者が複数のＮＥ−ＯＰＳの操作によってトレイルの管理業務を遂行するための様々な画面を表示する機能（ビューワ；表示制御手段）を持つ。
例えば、Ｗｅｂ端末１０Ａは、Ｆｉｇ．１に示すような、トレイル管理業務画面３４，カテゴリ１ＮＥ−ＯＰＳの指定業務画面（ＮＥ−ＯＰＳ１０１の操作画面）３５，およびカテゴリ２ＮＥ−ＯＰＳの指定業務画面（ＮＥ−ＯＰＳ１０２の操作画面）３６を表示する。表示制御手段として、例えばＷｅｂブラウザを用いることができる。
Ｗｅｂ端末１０Ａは、表示制御手段の機能の一つとして、画面連携機能部３１を持つ。画面連携機能部３１は、トレイル管理部２０からの指示に従って、この指示に対応するＮＥ−ＯＰＳ（Ｆｉｇ．２では各ＮＥ−ＯＰＳ１０１及び１０２）からＮＥ−ＯＰＳの操作画面をＷｅｂ端末１０Ａのディスプレイ上に呼び出す機能を司る。Ｆｉｇ．２に示す例では、画面連携機能部３１は、Ｗｅｂ端末１０Ａのディスプレイに業務画面３５および３６を表示する。
トレイル管理部２０は、プログラムの実行によって、トレイル管理機能部２１と、カテゴリ単位で用意される連携機能部２２とを実現する。また、トレイル管理部２０は、トレイル管理データベース（トレイル管理ＤＢ）と、業務カテゴリ単位ＮＥ−ＯＰＳ連携テーブル２４とを備えている。
トレイル管理部２０は、Ｗｅｂ端末１０Ａに表示される各種の画面（トレイル構成登録画面，管理業務等）を介して運用者により入力される各種の情報またはデータを受け取る。トレイル管理部２０は、受け取った情報がトレイルの構成等に係る情報であれば、これをトレイル管理ＤＢ２３に登録する。これに対し、情報がＮＥ−ＯＰＳの操作画面の起動指示であれば、この起動指示を対応するＮＥ−ＯＰＳが属するカテゴリに対応する連携機能部２２に渡す。
連携機能部２２は、カテゴリ毎に用意される。Ｆｉｇ．２に示す例では、カテゴリが２つ（カテゴリ１及び２）である。このため、カテゴリ１に対応する連携機能部２２−１と、カテゴリ２に対応する連携機能部２２−２とが示されている。
但し、連携機能部２２は、ＮＥ−ＯＰＳの操作により実施される業務の特徴を意識して動作する必要がある。このため、連携機能部２２は、１つのカテゴリに属するＮＥ−ＯＰＳがさらに複数の種類に細分化される場合には、細分化された種類毎に用意することもできる。これによって、カテゴリ単位に連携機能を細分化することができる。
連携機能部２２がカテゴリ単位で用意されることにより、カテゴリ間で連携する機能について、各連携機能部２２を対応するカテゴリに関する機能に限定して（他のカテゴリから独立して）作成することができる。このため、新たなカテゴリが統合ネットワークに追加される場合には、新たなカテゴリに対応する連携機能部２２を作成すれば良い。
連携機能部２２は他のカテゴリから独立して（無関係に）作成することができるので、連携機能部２２は容易に作成することができる。そして、新たなカテゴリと既存のカテゴリとの連携を実施することができる。逆に、或るカテゴリが不要になった場合には、そのカテゴリに対応する連携機能部２２をトレイル管理部２０から削除すれば良い。このように、カテゴリの増減に際し、他のカテゴリに影響を与えることがない。
各ＮＥ−ＯＰＳ１０１及び１０２は、カテゴリの種別に拘わらず、Ｆｉｇ．１を用いて説明したようなＮＭ管理機能部１１及びＮＥ制御機能部１２を持つ。また、各ＮＥ−ＯＰＳ１０１及び１０２は、ＮＭ管理データベース（ＮＭ管理ＤＢ）１３を備えている。ＮＭ管理ＤＢ１３は、ＮＭ管理機能部１１によって管理され、ＮＥ−ＯＰＳの管理範囲のネットワークを管理するための様々な情報を記憶する。例えば、ＮＭ管理ＤＢ１３は、ＮＥ−ＯＰＳの操作画面情報を記憶しており、ＮＭ管理機能部１１は、管理システムからの指示に応じて、対応する操作画面情報をＷｅｂ端末１０Ａに供給する。
Ｆｉｇ．２に従って管理システムの動作例を説明する。Ｆｉｇ．２には、運用者がＮＥ２０１とＮＥ２０２との間にパスＰを設定するための管理業務（パス設定業務）を実施する場合における管理システムの動作例が示されている。
運用者は、パスＰを設定する場合には、Ｗｅｂ端末１０Ａを操作してディスプレイ上にトレイル管理業務画面３４を呼び出す。このとき、運用者は、パスＰのトレイル構成の登録が済んでいなければ、トレイル管理業務画面３４を用いて、パスＰのトレイル構成をトレイル管理部２０に登録することができる［Ｆｉｇ．２（１），（２）］。
運用者は、パスＰのトレイル構成の登録が終了している段階で、パスＰの設定に際して連携する操作対象のＮＥ−ＯＰＳを指走し、連携ボタン（操作画面の起動ボタン）を押す。すると、操作画面を呼び出すための指示が、トレイル管理部２０のトレイル管理機能部２１に与えられる［Ｆｉｇ．２；（１）］。ここでは、連携先のＮＥ−ＯＰＳとしてＮＥ−ＯＰＳ１０１が指定され、その操作画面（パスの設定画面）の呼び出し指示がトレイル管理部２０に与えられたものとする。
トレイル管理機能部２１は、呼び出し指示に含まれる連携先のＮＥ−ＯＰＳが属するカテゴリから連携操作の対象となるカテゴリを特定し、特定したカテゴリ（ここでは、カテゴリ１）に対応する連携機能部２２−１に連携指示を与える［Ｆｉｇ．２；（３）］。連携指示はパスＰのトレイル名称及び業務種別（パス設定）を指定パラメータとして含む。
連携機能部２２−１は、トレイル管理機能部２１より連携指示を受け付けると、指定パラメータをキーとして、連携テーブル２４を参照する。連携機能部２２−１は、連携ＤＢ２４の参照によって、指定パラメータに応じた連携先のＮＥ−ＯＰＳ（ＮＥ−ＯＰＳ１０１）の操作画面の位置情報（例えば、ＵＲＬ（Ｕｎｉｆｏｒｍ  Ｒｅｓｏｕｒｃｅ  Ｌｏｃａｔｏｒ））を含む画面起動情報を獲得する［Ｆｉｇ．２；（４）］。
連携機能部２２−１は、獲得した画面起動情報をＷｅｂ端末１０Ａの画面連携機能部３１に与える［Ｆｉｇ．２；（５）］。なお、昨今では、Ｗｅｂページに様々な画面を取り込む手法（Ｔａｒａｎｔｅｌｌａなど）がＷｅｂ技術として確立している。このため、ＮＥ−ＯＰＳの操作画面をＷｅｂページに取り込むことが可能である。この例では、上記手法を採用し、各連携機能部２２は操作画面が取り込まれたＷｅｂページのＵＲＬを獲得し、ＨＴＭＬ情報としての画面起動情報を生成し、Ｗｅｂ端末１０Ａで画面起動情報としてのＨＴＭＬ情報を解析するようにしている。但し、上記したＷｅｂ技術を用いることは必須の要件ではなく、管理システムが連携操作対象の各ＮＥ−ＯＰＳの操作画面を操作端末１０上で起動することができるようになっていれば良い。
画面連携機能部３１は、連携機能部２２−１から受け取った画面起動情報を解析し、これに含まれたＵＲＬを含む操作画面の起動指示をＮＥ−ＯＰＳ１０１に与える［Ｆｉｇ．２；（６）］。
ＮＥ−ＯＰＳ１０１のＮＭ管理機能部１１は、画面連携機能部３１からの起動指示に基づいて、自身が管理している起動指示に応じた操作画面（業務画面３５）の情報を、その格納位置（例えばＮＭ管理ＤＢ１３）から読み出し［Ｆｉｇ．２；（７）］、Ｗｅｂ端末１０Ａに送信する［Ｆｉｇ．２；（８）］。操作画面は、ＮＥ−ＯＰＳの操作画面として元々備えられているものであり、ＮＥ−ＯＰＳそのものの操作における画面遷移において提供されるものである。画面連携機能部３１は、起動指示によって、業務種別に応じた起動対象の操作画面情報を呼び出す。このとき、起動指示にトレイル名称やトレイル構成（例えばトレイルの収容位置）のような指定パラメータが含まれている場合には、ＮＭ管理機能部１１は、これらの指定パラメータが業務画面３５上で表示されるように、操作画面の情報に対する編集処理を行うことができる。
Ｗｅｂ端末１０Ａの表示制御手段（Ｗｅｂブラウザ）は、業務画面３５の情報を受け取ると、業務画面３５をディスプレイに表示する。このとき、業務画面３５がＮＭ管理機能部１１で編集されている場合には、編集によって画面内に取り込まれた指定パラメータ（トレイル名称やトレイル構成）が業務画面３５上に表示される。このように、指定パラメータが表示されることにより、運用者は対象のトレイル（パスＰ）を明確に把握することができる。但し、指定パラメータの表示は本発明の必須の構成要素ではない。
業務画面３５は、業務に係るＮＥ−ＯＰＳ１０１の操作に必要な指定項目を表示する。運用者は、業務画面の表示内容に従って必要な指定項目（ＮＥの制御情報）を入力する。ここでは、業務画面３５は、パスＰの設定に必要な指定項目を入力するためのユーザインターフェイスを運用者に提供し、運用者は、業務画面３５の表示内容に従って、パスＰの設定に必要な指定項目（制御対象のＮＥに対する制御／設定情報）を入力する。その後、運用者は、ＮＥ制御の指示を入力する。この指示は、例えば業務画面３５に設けられたボタン（例えば「ＮＥ制御」のボタン）の押し下げによって入力することができる。
ＮＥ制御の指示が入力されると、業務画面３５を介して入力された指定項目（ＮＥの制御／設定情報）は、ＮＥ−ＯＰＳ１０１のＮＭ管理機能部１１に与えられ［Ｆｉｇ．２；（９）］、ＮＭ管理機能部１１を介してＮＥ制御機能部１２に与えられ［Ｆｉｇ．２；（１０）］、ＮＥ制御機能部１２から制御対象のＮＥ２０１に与えられる［Ｆｉｇ．２；（１１）］。
ＮＥ２０１は、ＮＥ−ＯＰＳ１０１からの制御／設定情報に従った処理（例えば、パスＰの接続処理）を実施する。ＮＥ２０１の処理結果は、ＮＥ２０１からＮＥ−ＯＰＳ１０１のＮＥ制御機能部１２に返送される［Ｆｉｇ．２；（１２）］。そして、ＮＥ２０１による最終的な設定状況は、ＮＭ管理機能部１１に与えられ［Ｆｉｇ．２；（１３）］、ＮＭ管理ＤＢ１３に格納される。
続いて、運用者は、ＮＥ−ＯＰＳ１０２を連携先のＮＥ−ＯＰＳとして指定し、この操作画面を呼び出すための指示を入力すると［Ｆｉｇ．２（１）］、トレイル管理部２０およびＷｅｂ端末１０Ａが先程と同様の処理を行う。
即ち、トレイル管理機能部２１が、呼び出し指示に応じたカテゴリ（カテゴリ２）に対応する連携機能部２２−２に連携指示を与える［Ｆｉｇ．２；（１４）］。
連携機能部２２−２は、連携指示に含まれる指定パラメータに応じた操作画面の位置情報（ＵＲＬ）を含む画面起動情報を獲得し［Ｆｉｇ．２；（１５）］、Ｗｅｂ端末１０Ａの画面連携機能部３１に与える［Ｆｉｇ．２；（１６）］。
画面連携機能部３１は、画面起動情報を解析し、これに含まれたＵＲＬを含む操作画面の起動指示をＮＥ−ＯＰＳ１０２に与える［Ｆｉｇ．２；（１７）］。
ＮＥ−ＯＰＳ１０２のＮＭ管理機能部１１は、起動指示に基づいて、自身が管理している起動指示に応じた操作画面（業務画面３６）の情報を、その格納位置（例えばＮＭ管理ＤＢ１３）から読み出し［Ｆｉｇ．２；（１８）］、Ｗｅｂ端末１０Ａに送信する［Ｆｉｇ．２；（１９）］。
Ｗｅｂ端末１０Ａの表示制御手段は、業務画面３６の情報に基づいて業務画面３６をディスプレイに表示する。業務画面３６は、ＮＥ−ＯＰＳ１０２の操作に必要な指定項目を表示する。運用者は、業務画面の表示内容に従って必要な指定項目（ＮＥの制御情報）を入力し、ＮＥ制御の指示を入力する。すると、業務画面３６を介して入力されたＮＥの制御／設定情報が、ＮＥ−ＯＰＳ１０２のＮＭ管理機能部１１に与えられ［Ｆｉｇ．２；（２０）］、ＮＭ管理機能部１１を介してＮＥ制御機能部１２に与えられ［Ｆｉｇ．２；（２１）］、ＮＥ制御機能部１２から制御対象のＮＥ２０２に与えられる［Ｆｉｇ．２；（２２）］。
ＮＥ２０２は、ＮＥ−ＯＰＳ１０２からの制御／設定情報に従った処理（例えば、パスＰの接続処理）を実施する。ＮＥ２０２の処理結果は、ＮＥ２０２からＮＥ−ＯＰＳ１０２のＮＥ制御機能部１２に返送される［Ｆｉｇ．２；（２３）］。そして、ＮＥ２０２による最終的な設定状況は、ＮＭ管理機能部１１に与えられ［Ｆｉｇ．２；（２４）］、ＮＭ管理ＤＢ１３に格納される。以上のような連携操作により、運用者は、ＮＥ２０１−２０２間にパスＰを設定することができる。
〈トレイル構成管理〉
次に、管理システムで実施されるトレイル構成の管理について説明する。Ｆｉｇ．３は、管理システムでトレイル構成が管理される統合ネットワークの例と、統合ネットワークのトレイル構成の概念図である。
管理システムは、「トレイル構成の管理」として、少なくとも、統合ネットワークに設定される各トレイル（自パス）と、自パスを収容する上位の１レイヤ上位のパス（トレイル）と、自パスが複数の上位パスに収容されている場合における収容順の情報と、を管理する。
Ｆｉｇ．３に示す例では、各パスＡ，Ｂ，Ｃ及びＤが上位パスを持たない最上位パスに相当する。管理システムは、最上位パスについては、自パス情報と、上位パスが無い旨（上位収容無し）の情報とをトレイル構成の情報として管理する。この場合には収容順情報はない。
一方、管理システムは、上位パスに収容されるパス（Ｆｉｇ．３の例では各パスＥ，Ｆ，Ｇ，Ｈ及びＩ）について、自パス情報と、収容情報と、収容順（接続順）情報とをトレイル構成の情報として管理する。収容情報は、自パスの上位パスにおける収容位置を含む。
各パスＡ〜Ｉのトレイル構成の情報は、Ｆｉｇ．３に示す通りである。ここでは、各パスＥ及びＩのトレイル構成を例として説明する。パスＥはパスＡ及びＢに収容されており、パスＡ及びＢはパスＥの上位パスに相当する。ここに、Ｆｉｇ．３に示す統合ネットワークでは、例として、左側を上流側として順番に（左側に位置する程順位が高くなるように）収容順が決定されている。従って、管理システムは、パスＥのトレイル構成の情報として、パスＥを示す情報と、上位パスであるパスＡ及びＢを示す情報と、各パスＡ及びＢにおけるパスＥの収容位置を示す情報と、パスＥの収容順（順位１：パスＡ，順位２：パスＢ）を示す情報とを管理する。一方、パスＩはパスＥ及びパスＧに収容されており、パスＥ及びＧはパスＩの上位パスに相当する。従って、管理システムは、パスＥのトレイル構成の情報として、パスＩを示す情報と、上位パスに該当するパスＥ及びＧを示す情報と、各パスＥ及びＧにおけるパスＥの収容位置を示す情報と、パスＩの収容順（１：パスＥ，２：パスＧ）を示す情報とを管理する。
管理システムは、統合ネットワークに設定される全てのトレイル（パス）についてのトレイル構成の情報を管理することができる。Ｆｉｇ．４は、統合ネットワークのトレイル構成の情報を保持するトレイル構成管理テーブル２５の概念図である。Ｆｉｇ．４は、Ｆｉｇ．３に示した統合ネットワークのトレイル構成の情報を格納した状態を例示する。
Ｆｉｇ．４に示すように、トレイル構成の情報は、トレイル構成管理テーブル２５にて保持・管理される。トレイル構成管理テーブル２５は、自パス，収容順（接続順），上位パス，収容位置，上位ＯＰＳ，下位ＯＰＳを夫々示す情報を格納する１以上のエントリ（レコード）を持つ。
或るパスが複数の上位パスに収容される場合には、そのパスについてのエントリが上位パス毎に作成される。なお、上位ＯＰＳ及び下位ＯＰＳを示す情報（「連携ＯＰＳ情報」と呼ぶこともある）が端点情報に相当する（後述）。トレイル構成管理テーブル２５は、例えば、Ｆｉｇ．２に示したトレイル管理ＤＢ２３内に作成される。トレイル構成管理テーブル２５の内容は、トレイル管理機能部２１によって新規登録（追加），変更及び削除される。
上述したように、管理システムはトレイル構成管理テーブル２５を持つ。これによって、Ｆｉｇ．５に示すような統合ネットワーク全体の表現が可能となる。例えば、管理システムがパスＨに係るトレイル構成の情報（エントリ）を検出した場合には、パスＨの上位パスに該当するパスＥ及びＦの情報を得ることができる。これらに基づいて、管理システムがパスＥのトレイル構成の情報を検出すれば、パスＥの上位パスであるパスＡ及びＢの情報が獲得される。同様にして、管理システムはパスＦの上位パスであるパスＣの構成（パスＣの情報）を獲得することができる。パスＡ，パスＢ及びパスＣのトレイル構成の情報からこれらは上位パスを持たないことが判る。
このようにして、ネットワーク管理システムはパスＨに係る全てのトレイル構成が獲得されたことを認識することができる。そして、Ｆｉｇ．５に示すようなパスＨに係るネットワーク構成を表現することができる。このように、或るパスを起点としてその上位に存在する全てのパスのトレイル構成の情報を検出することができる。従って、最下位の各パスから上位パスを順次たどっていくことによって、統合ネットワーク全体を表現することができる。Ｆｉｇ．５に示す例では、パスＨ及びＩを起点にすれば、統合ネットワーク全体のトレイル構成を入手でき、統合ネットワーク全体を表現することができる。
逆に、最上位パスから下位パスをたどっていくことによって、統合ネットワーク全体を表現することも可能である。例えば、Ｆｉｇ．５において、パスＢから下位パスをたどる場合には、管理システムはパスＢを上位パスに持つパスのエントリを検索する。この結果、パスＥのエントリが検出される。続いて、管理システムはパスＥを上位パスに持つパスのエントリを検索する。この結果、パスＨ及びパスＩのエントリが夫々得られる。続いて、管理システムがパスＨ又はパスＩを上位パスに持つエントリを検索すると、該当エントリが無い旨の検索結果が得られる。これによって、パスＨ及びパスＩが最下位のパスであることが判る。従って、パスＢに係る全ての下位パスのトレイル構成の情報が得られたことになり、パスＢからその最下位のパス（パスＨ及びＩ）までの情報を用いて、パスＢに係るネットワークを表現することができる。さらに、管理システムがパスＢに係る処理と同様の処理を他の最上位パス（パスＡ，Ｃ及びＤ）について行えば、Ｆｉｇ．５に示す統合ネットワークの全てのトレイル構成の情報を入手することができ、統合ネットワーク全体を表現することができる。
なお、Ｆｉｇ．４に示したトレイル構成管理テーブル２５の構造で最上位のパスから最下位へのパスをたどることが可能である。もっとも、Ｆｉｇ．５に示したトレイル構成管理テーブル２５の各エントリに自パスが収容している１レイヤ下位のパスの情報を保持（「下位パス」の項目を各エントリに追加）するように変形すれば、最上位のパスのエントリからその下位に存する全てのパスについてのトレイル構成の情報を獲得することができる。
運用者は、操作端末１０（Ｗｅｂ端末１０Ａ）を操作し、トレイル管理機能部２１を制御することによって、上述したパスの検索処理を実施することができる。そして、トレイル構成の情報の検索結果や、これを用いたネットワークのトレイル構成がディスプレイ上に表示されるようにすることもできる。
〈トレイル名称の管理〉
次に、管理システムで実施されるトレイル名称の管理について説明する。トレイル管理部２０は、ＮＥ−ＯＰＳの連携を実施する際に、指定パラメータにトレイル名称を含めることができる。このため、トレイル管理部２０は、次のようにしてトレイル名称を管理する。
管理システムは、トレイル名称として、自パスをトレイル管理部２０で管理するためのトレイル名称（「トレイル管理トレイル名称（第１トレイル名称）」と称する）と、自パスに関して連携を行うカテゴリ単位のＮＥ−ＯＰＳ毎に用意されるトレイル名称（「カテゴリ単位ＮＥ−ＯＰＳトレイル名称（第２トレイル名称）」と称する）とを管理する。
Ｆｉｇ．６は、トレイル管理部２０にて管理されるトレイル名称管理テーブル２６の例を示す図である。トレイル名称管理テーブル２６は、トレイル（自パス）単位で用意される１以上のエントリ（レコード）からなり、各エントリは、トレイル管理トレイル名称とカテゴリ単位ＮＥ−ＯＰＳトレイル名称とをそれぞれ保持するためのフィールドを持つ。
トレイル管理トレイル名称及びカテゴリ単位ＮＥ−ＯＰＳトレイル名称は、ユニーク性（一意性）が確保されるようになっており、トレイル名称は、トレイル（自パス）毎に、且つカテゴリ単位ＮＥ−ＯＰＳ毎にユニーク性が確保される。
トレイル名称管理テーブル２６は、例えば、Ｆｉｇ．２に示したトレイル管理ＤＢ２３内に設けられており、その内容は、トレイル管理機能部２１によって新規登録および更新（追加，変更，削除）される。運用者は、操作端末１０（Ｗｅｂ端末１０Ａ）の操作によって、トレイル管理機能部２１を制御し、トレイル名称管理テーブル２６にトレイル名称を登録することができる。
Ｆｉｇ．６は、Ｆｉｇ．３に示した統合ネットワークに対するトレイル名称管理テーブル２６の保持内容を示している。この例では、トレイル名称管理テーブル２６は、パスＡ〜Ｉに夫々対応するエントリを持つ。トレイル管理トレイル名称は、自パスを特定するために使用される。カテゴリ単位ＮＥ−ＯＰＳトレイル名称は、自パスに係る業務に対して連携するカテゴリ単位ＮＥ−ＯＰＳ毎に自パスを特定するために使用される。
トレイル管理トレイル名称及びカテゴリ単位ＮＥ−ＯＰＳトレイル名称は、運用者が逐一規定してトレイル名称管理テーブル２６に登録するようにしても良い。しかしながら、名称の登録作業は運用者にとって大きな負担である。そこで、以下に示す構成及び方法で運用者の負担を軽減することができる。
次に、トレイル管理トレイル名称及びカテゴリ単位ＮＥ−ＯＰＳトレイル名称のユニーク性を確保するための構成及び方法をＦｉｇ．７を用いて説明する。トレイル管理トレイル名称及びカテゴリ単位ＮＥ−ＯＰＳトレイル名称は、名称が重複しないように、名称を構成する文字数が予め規定されている。
Ｆｉｇ．７に示す例では、トレイル管理トレイル名称の文字数はｎ文字に規定されており、カテゴリ単位ＮＥ−ＯＰＳトレイル名称の文字数は、カテゴリ１，２，・・・，ｎに対してｘ，ｙ，・・・，ｚ文字に夫々規定されている。ここに、ｎ，ｘ，ｙ，・・・，ｚは、相互に異なる１以上の整数を指す。この例では、“ｘ＜ｙ＜ｚ”及び“ｎ≠ｘ，ｙ，ｚ”の関係を持つ。“ｘ＜ｙ＜ｚ”の関係は“ｘ＞ｙ＞ｚ”の関係であっても良い。
このように、文字数は、トレイル管理トレイル名称と各カテゴリ単位ＮＥ−ＯＰＳトレイル名称との間，及びカテゴリ単位ＮＥ−ＯＰＳトレイル名称間で異なっている。従って、或る文字列を各名称に規定された文字数（空白を含む）で表現し、それぞれの文字列をトレイル名称として採用することにより、名称のユニーク性が確保される。
Ｆｉｇ．７Ａ及び７Ｂは、トレイル名称登録に係る構成及び方法の例を示す。管理システムは、トレイル名称登録のため、Ｆｉｇ．７Ａに示すような単品名称テーブル２７及びトレイル名称編集パターンテーブル２８を持つことができる。単品名称テーブル２７及びトレイル名称編集パターンテーブル２８は、例えばトレイル管理ＤＢ２３（Ｆｉｇ．２参照）内に用意される。
また、管理システムは、運用者からの呼び出しに応じて、操作端末１０（Ｗｅｂ端末１０Ａ）のディスプレイ上にトレイル名称登録画面３７を表示する。トレイル名称登録画面３７の情報は、例えば、トレイル管理ＤＢ２３に格納されており、トレイル管理機能部２１が運用者からの指示に従って操作端末１０（Ｗｅｂ端末１０Ａ）に提供する。
トレイル名称登録画面３７は、運用者が自パスに対するトレイル管理トレイル名称を付与（定義）するための表示内容として、トレイルの構成に係る複数の項目の入力欄を持つ。Ｆｉｇ．７Ａに示す例では、自パスに対する“上位箇所（自パスの始点）”，“下位箇所（自パスの終点）”，“トレイル種別”，“番号”，“系”，“ユーザ”の各項目についての名称（「単品名称」と称する）の入力欄を持つ。そして、運用者が各項目に対応する単品名称を入力すると、入力された単品名称の組み合わせまたは積み上げによってトレイル管理トレイル名称が作成される。
単品名称テーブル２７は、運用者がトレイル名称登録画面３７の各入力欄に単品名称を入力する負担を軽減するために用意されている。単品名称テーブル２７は、複数の小テーブルからなる。複数の小テーブルは、単品名称の候補となる単品名称群を単品名称のカテゴリ毎に夫々格納している。
Ｆｉｇ．７Ａは、小テーブルの例として、“上位箇所”及び“下位箇所”の候補を格納した箇所名称の小テーブル２７Ａと、トレイル種別の候補を格納したトレイル種別名称の小テーブル２７Ｂと、系名称の候補を格納した系名称の小テーブル２７Ｃと、ユーザ名の候補を格納したユーザ名称の小テーブル２７Ｄを示している。
トレイル名称登録画面３７は、単品名称の候補を表示するためのボタンを入力欄毎に有している。運用者がボタンの何れかを押すと、そのボタンに応じた小テーブルの格納内容（単品名称の候補一覧）がディスプレイに表示される。運用者が候補一覧から何れかの候補を指定すると、指定された単品名称が対応する入力欄に表示される。運用者はトレイル名称の登録対象の自パスに応じた候補（上位箇所，下位箇所，トレイル種別，系，ユーザ名）を夫々指定する。このようにして、単品名称の入力が省力化される。
トレイル名称登録画面３７は、トレイル管理部２０によるトレイル名称の登録処理を開始するためのボタン（Ｆｉｇ．７Ａでは「登録ボタン」）を有している。例えば、運用者が各単品名称を指定または入力した後、登録ボタンを押すと、トレイル管理機能部２１（Ｆｉｇ．２）が、トレイル名称の登録処理を開始する。
トレイル管理機能部２１は、Ｆｉｇ．７Ｂに示すように、トレイル名称登録画面３７で指定された各単品名称を受け取り、規定された文字数（ｎ文字）の範囲でこれらを所定順序で積み上げることによりトレイル管理トレイル名称（ｎ文字）を作成し、トレイル名称管理テーブル２６に登録する。
一方、トレイル管理機能部２１は、トレイル名称登録画面３７で指定された単品名称（又はトレイル管理トレイル名称）をトレイル名称編集パターンテーブル２８を用いて編集する。これによって、自パスに係るカテゴリ単位ＮＥ−ＯＰＳ毎のトレイル名称（カテゴリ単位ＮＥ−ＯＰＳトレイル名称）が作成される。
編集パターンテーブル２８は、小テーブル２７Ｂに格納されたトレイル種別名称毎に用意されたエントリからなる。各エントリは、トレイル種別名称に対応するカテゴリ１，２，・・・，ｎ−１，ｎについてのトレイル管理トレイル名称の編集パターンの定義情報を保持している。但し、編集パターンテーブル２８は、或るトレイル種別が或るカテゴリのＮＥ−ＯＰＳでは管理されないことがあることに基づいて、編集パターンの代わりに“編集パターン無し”を定義することが可能になっている。即ち、この例では、トレイル種別からトレイルの管理業務に関連するカテゴリが特定されるようになっている。
Ｆｉｇ，７Ｂに示す編集パターンテーブル２８の例では、トレイル種別“ＶＣ−２１”，“ＶＣ−１１”及び“１．５Ｍ”がカテゴリ２のＮＥ−ＯＰＳで管理されないことを示す。同様に、トレイル種別“１０Ｇ”及び“６００Ｍ”はカテゴリｎのＮＥ−ＯＰＳで管理されないことを示す。
トレイル管理機能部２１は、トレイル名称登録画面３７で指定されたトレイル種別をキーとして名称編集パターンテーブル３８を検索し、トレイル種別に対応する編集パターンを検出する。
続いて、トレイル管理機能部２１は、検出された編集パターンに基づいて指定された単品名称の集合を編集する。これによって、トレイル管理機能部２１は、自パスについて連携する複数のＮＥ−ＯＰＳに夫々対応するカテゴリ単位ＮＥ−ＯＰＳトレイル名称を作成する。
Ｆｉｇ．７Ｂは、トレイル名称編集の一例を示している。即ち、上位箇所“富通川崎”，下位箇所“富通関西ラボ”，トレイル種別“１．５Ｍ”，系“１”，及びユーザ名“富通”が指定された場合におけるトレイル管理トレイル名称及び各カテゴリ単位ＮＥ−ＯＰＳトレイル名称が示されている。この例では、トレイル管理機能部２１は、単品名称をｎ文字で積み上げることで生成されたトレイル管理トレイル名称“富通川崎〜富通関西ラボ  １．５Ｍ  １  富通”を作成する。
続いて、トレイル管理機能部２１は、トレイル種別名称“１．５Ｍ”に対応する編集パターンをトレイル名称編集パターンテーブル２８から夫々読み出し、各編集パターンに従って単品名称の集合を加工する。編集パターンは、例えば、各カテゴリ単位ＮＥ−ＯＰＳトレイル名称がトレイル管理トレイル名称と異なり且つカテゴリ間で相互に異なるように、単品名称の集合を積み上げる編集作業の定義を持つ。例えば、トレイル種別名称“１．５Ｍ”に対応するカテゴリ１の編集パターン（パターン３）は、トレイル管理トレイル名称よりも構成文字数が少なく（構成文字数：ｎ文字＞ｘ文字）、且つ上位箇所及び下位箇所を示す単品名称に文字数の制限（有効文字数：３文字）が加えられるという定義を持つ。トレイル管理機能部２１は、パターン３の定義に従って、カテゴリ１のカテゴリ単位ＮＥ−ＯＰＳトレイル名称“富通川〜富通関  １．５Ｍ  １  富通”を作成する。
一方、カテゴリｎに対応する編集パターン（パターンｎ＋１）は、トレイル管理トレイル名称よりも構成文字数が多い（構成文字数：ｎ文字＜ｚ文字）という定義を持つ。この場合には、トレイル管理機能部２１は、トレイル管理トレイル名称中の適宜の単品名称間に空白（スペース）を設ける。これによって、構成文字数がトレイル管理トレイル名称よりも多いカテゴリｎのカテゴリ単位ＮＥ−ＯＰＳトレイル名称が作成される。
なお、Ｆｉｇ．７Ｂに示す例では、トレイル種別“１．５Ｍ”がカテゴリ２を管理しないため、カテゴリ２のカテゴリ単位ＮＥ−ＯＰＳトレイル名称は作成されない。トレイル管理機能部２１は、作成した各カテゴリ単位ＮＥ−ＯＰＳトレイル名称をトレイル名称管理テーブル２６（Ｆｉｇ．６参照）の所定のエントリに登録する。
以上のように、管理システムの実施形態では、トレイル名称（トレイル管理トレイル名称及びカテゴリ単位ＮＥ−ＯＰＳトレイル名称）を定義するために、トレイル名称の核となる単品名称が管理される。そして、運用者によって指定された複数の単品名称を積み上げたり、単品名称の組み合わせを編集したりする。このようにして、トレイル管理トレイル名称及びカテゴリ単位ＮＥ−ＯＰＳトレイル名称が生成される。上記構成によれば、単品名称の組み合わせが自パス毎に異なることになるので、自パス毎のトレイル名称（トレイル管理トレイル名称）のユニーク性（一意性）が確保される。
さらに、ある自パスについての複数のカテゴリ単位ＮＥ−ＯＰＳトレイル名称は、カテゴリ間で相互に異なる編集パターンに従って生成されるので、カテゴリ単位ＮＥ−ＯＰＳトレイル名称のユニーク性が確保される。
さらに、各カテゴリ単位ＮＥ−ＯＰＳトレイル名称の構成文字数の制限はトレイル管理トレイル名称と異なるので、これらの名称は相互に異なる。このようにして、トレイル管理トレイル名称及びＯＰＳトレイル名称の一意性（ユニーク性）が確保される。
さらに、運用者が自パスに応じた複数の単品名称を指定すれば、自パスのトレイル管理トレイル名称及びカテゴリ単位ＮＥ−ＯＰＳトレイル名称が自動的に作成される。これによって、運用者のトレイル名称登録に係る作業負担を軽減することができる。
〈ＮＥ−ＯＰＳの連携情報管理〉
次に、ネットワーク管理システムのＮＥ−ＯＰＳの連携情報管理の実施形態を説明する。トレイル管理部２０の連携機能部２２は、トレイル管理機能部２１からの連携指示に従って動作する際には、業務カテゴリ単位ＮＥ−ＯＰＳ連携テーブル２４を参照する。
Ｆｉｇ．８は、業務カテゴリ単位のＮＥ−ＯＰＳ連携テーブル２４（以下、「連携テーブル２４」と表記する）２４の例を示す説明図である。連携テーブル２４は、カテゴリ単位のＮＥ−ＯＰＳ種別単位に、管理業務種別，管理トレイル種別，連携画面情報（ＮＥ−ＯＰＳの操作画面のＵＲＬ）が定義された複数のエントリ（レコード）を格納する。即ち、各エントリは、カテゴリＮＥ−ＯＰＳ種別，業務種別及びトレイル種別に対応するＮＥ−ＯＰＳの操作画面の保存場所を示す情報（この例ではＵＲＬ（Ｕｎｉｆｏｒｍ  Ｒｅｓｏｕｒｃｅ  Ｌｏｃａｔｏｒ））を格納している。
ここに、カテゴリＮＥ−ＯＰＳ種別はＮＥ−ＯＰＳが属するカテゴリを示す。業務種別は管理業務の種別を示す。管理業務は、例えば、“トレイルの設定”，“トレイルの削除”，“トレイルの試験”等を含む。
連携テーブル２４は、或る業務種別及びトレイル種別について連携するＮＥ−ＯＰＳの連携画面情報のみをエントリとして保持する。言い換えれば、連携画面情報を特定するためのＮＥ−ＯＰＳ種別，業務種別及びトレイル種別を定義するに当たって、業務種別及びトレイル種別に対してＮＥ−ＯＰＳが連携する必要がない場合には、連携画面情報は定義されない。
各連携機能部２２（Ｆｉｇ．２）は、トレイル管理機能部２１からカテゴリ単位のＮＥ−ＯＰＳ種別，業務種別及びトレイル種別を受け取り、これらをキーとして対応する連携画面情報（ＵＲＬ）を連携テーブル２４から検索する。そして、各連携機能部２２は、連携テーブル２４の検査結果、即ち対応する連携画面情報の有無によって、ＮＥ−ＯＰＳが連携するか否かを判断する。
連携テーブル２４は、例えば、運用者によるトレイル管理制御部２１の制御によってトレイル管理部２０内に作成及び更新される。
〈ＮＥ−ＯＰＳ管理〉
次に、ネットワーク管理システムによるＮＥ−ＯＰＳの管理の実施形態を説明する。Ｆｉｇ．８に示した連携テーブル２４のデータ構造は、一つのカテゴリに属するＮＥ−ＯＰＳが１つの場合を想定している。しかしながら、ネットワーク管理システムによって管理される統合ネットワークは、一つのカテゴリに複数のＮＥ−ＯＰＳを持つ場合がある。この場合には、Ｆｉｇ．８に示した連携テーブル２４のデータ構造では、或るカテゴリに属する複数のＮＥ−ＯＰＳから一つのＮＥ−ＯＰＳを特定することができない。このため、管理システムは、各カテゴリに属する１以上のＮＥ−ＯＰＳを管理するためのカテゴリ単位ＮＥ−ＯＰＳ管理テーブル２９を持つ。
Ｆｉｇ．９は、カテゴリ単位ＮＥ−ＯＰＳ管理テーブル（以下、「管理テーブル」と表記する）２９の例を示す説明図である。管理テーブル２９は、各カテゴリに属する１以上のＮＥ−ＯＰＳを特定するための情報として、ＮＥ−ＯＰＳが属するカテゴリを示す情報（カテゴリＮＥ−ＯＰＳ種別）と、カテゴリ内でのＮＥ−ＯＰＳの識別情報（ＮＥ−ＯＰＳの番号：予め割り当てられている）と、ＮＥ−ＯＰＳの位置情報とを含む１以上のエントリ（レコード）を保持する。
ＮＥ−ＯＰＳの位置情報は、例えば、ＮＥ−ＯＰＳが物理的に存在する単位（連携を実施するターゲット単位）のアドレスであり、この例では、ＮＥ−ＯＰＳのＩＰアドレスが示されている。
このように、管理システムは、カテゴリ単位ＮＥ−ＯＰＳ毎の固定要素の定義を連携テーブル２４で管理し、カテゴリ単位ＮＥ−ＯＰＳ毎の増減（可変）要素の定義を管理テーブル２９で管理する。即ち、カテゴリ単位のＮＥ−ＯＰＳに係る情報が、トレイルに係る業務についての連携画面情報から独立して管理される。このため、管理システムは、或るカテゴリに対するＮＥ−ＯＰＳの増減（追加又は削除）に対し、管理テーブル２９を更新するだけで良い。即ち、ＮＥ−ＯＰＳの増減が連携テーブル２４の保持内容に影響を与えることはない。
従って、各カテゴリに属するＮＥ−ＯＰＳの数に拘わらず連携テーブル２４の格納内容を変更しなくて済む。これにより、トレイル管理が容易となる。また、ＮＥ−ＯＰＳの増減に伴うトレイルを管理するための情報の変更範囲を可能な限り小さくすることができる。
カテゴリ単位ＮＥ−ＯＰＳの追加削除については、本カテゴリ単位ＮＥ−ＯＰＳ管理テーブル２９を変更することにより、連携の設定が可能となる。
〈トレイル構成入力〉
Ｆｉｇ．２に示したトレイル管理部２０は、Ｆｉｇ．３及び４を用いて説明したようなトレイル構成を管理する。トレイル構成は、操作端末１０（又はＷｅｂ端末１０Ａ）の操作によって、トレイル管理部２０のトレイル構成ＤＢ２３に登録される。ここで、運用者がトレイル構成を登録する場合に、トレイル管理上の矛盾が発生しない手法を確立する必要がある。
このため、トレイル構成が登録される場合に、自パス（自トレイル）を収容する一レイヤ上位のパス（上位トレイル：「収容先トレイル」ともいう）が選択されると、その上位パスの収容状況が表示され、自トレイルの収容位置が確定される手法を採用する。このことにより、トレイル管理において、収容矛盾（二重収容）が発生することを防止することができる。
Ｆｉｇ．１０は、トレイル構成入力画面３８の例を示す図である。トレイル構成入力画面３８（以下、「入力画面３８」と表記することもある）は、Ｗｅｂ端末１０Ａの操作によって、そのディスプレイ上に呼び出される。入力画面３８は、登録対象の自トレイルの名称を登録トレイル名称の表示欄３９に表示する。ここで、登録トレイル名称は、上述したトレイル管理トレイル名称を適用することができる。
また、Ｆｉｇ．１０に示す例では、入力画面３８は、二つの欄（タブ）を同時に表示できるレイアウトになっている。Ｆｉｇ．１０では、二つのタブとしてタブ４０及び４１が示されている。各タブ４０，４１は、自トレイルの上位トレイルに関する情報を上位トレイル毎に入力及び表示するために用いられる。運用者は、各タブ４０，４１を用いて上位トレイルを夫々指定し、確認することができる。
各タブ４０，４１は、上位トレイルの検索条件の設定欄４２，４３を有している。各設定欄４２，４３は、検索条件の要素（指定項目）として機能する上位箇所，下位箇所，トレイル種別，番号の入力又は選択欄と、検索開始ボタンとを持つ。
運用者は、各要素を入力又は選択することによって、収容先トレイルの検索条件を設定（指定）することができる。トレイル管理トレイル名称が登録トレイル名称として適用される場合には、登録トレイル名称は、検索条件の要素として入力すべき単品名称の組み合わせで構成されていることになる。従って、運用者が検索条件を入力するに当たっての負荷が軽減される。
なお、検索条件の指定に際し、上記箇所，下位箇所，トレイル種別，番号の全ての項目を夫々指定しなくても良い（全項目の指定が必須でない）。検索条件が指定された後、検索ボタンが押されると、トレイル管理部２０Ａによって、検索条件に合致する収容先トレイル（上位トレイル）が検索される。
各タブ４０，４１は、さらに、上位トレイル一覧の表示領域４４，４５を有している。各表示領域４４，４５は、各設定欄４２，４３で指定された検索条件に当てはまる上位トレイル（収容先トレイル）のトレイル名称一覧を表示する。
運用者は、表示領域４４又は４５に絞り込み表示された一覧を参照することによって、自トレイルを収容する上位トレイルを指定する事ができる。このため、トレイルの単なる一覧表示に比較して、運用者が選択を誤る確率を軽減する事が可能となる。指定は、一覧に表示される上位トレイルの何れかを、入力装置で指定（例えばマウスクリック）することによって行われる。
運用者が表示領域４４又は４５に表示された一覧から１つのトレイルを選択すると、トレイル管理機能部２１は、トレイル構成管理テーブル２５（Ｆｉｇ．５）の内容を検索し、選択されたトレイルに対応するレコードを抽出する。抽出されたレコードの内容は、上位トレイルの収容状況として、対応するタブに表示される。
各タブ４０，４１は、さらに、収容グループの表示領域４６，４７と、グループ内収容位置の表示領域４８，４９とを有している。これらの各表示領域４６，４７，４８，４９は、一覧から選択又は指定された上位トレイルの収容状況、及び自トレイルの収容位置を表示及び指定等するために用意されている。
収容位置の表示指定が収容グループ，グループ内収容位置となっているのは、以下の理由による。同期ディジタルハイアラーキ（ＳＤＨ（Ｓｙｎｃｈｒｏｎｏｕｓ  Ｄｉｇｉｔａｌ  Ｈｉｅｒａｒｃｈｙ））は、ＳＴＭ−１（Ｓｙｎｃｈｒｏｎｏｕｓ  Ｔｒａｎｓｐｏｒｔ  Ｍｏｄｕｌｅ＝１５６Ｍｂｉｔ／ｓ）を基本単位として規定されている。ところが、日本の同期ディジタルハイアラーキは、ＳＴＭ−０（５２Ｍｂｉｔ／ｓ）も基準として採用している。このため、画面３８は、ＳＴＭ−ｎの収容内容（収容状況）として、ＳＴＭ−１およびＳＴＭ−０を同時に表示及び設定できるようにしている。
なお、ＳＴＭ−１のパスは、ＳＴＭ−０のパスを３本束ねて生成される。このため、ＳＴＭ−１のパスは、３本のＳＴＭ−０からなる収容グループを構成する。ＳＴＭ−ｎのパスは、ＳＴＭ−１のパスをｎ（ｎは４の倍数）本束ねて生成される。ＳＴＭ−ｎは、現在、ＳＴＭ−４，ＳＴＭ−１６，ＳＴＭ−６４が標準化されている。
Ｆｉｇ．１１は、ＳＤＨネットワークの例と、Ｆｉｇ，１０に示したトレイル構成登録画面３８を用いたＳＤＨネットワーク収容表示の例を示す図である。
Ｆｉｇ．１１に示すＳＤＨネットワークは、ＳＴＭ−４のパスＶと、ＳＴＭ−１６のパスＸとが、ＳＴＭ−１のパスＹとＳＴＭ−０のパスＺとを夫々収容している。パスＺは、パスＹを構成するＳＴＭ−０のグループ内に入っておらず、パスＹは、パスＺの上位パスではない。
この場合、パスＹのパスＶに対する収容位置（ＳＴＭ−０の収容グループ）は“ＳＴＭ１”である。また、パスＹのパスＸに対する収容位置（ＳＴＭ−０の収容グループ）は“ＳＴＭ２”である。また、パスＺのパスＶに対する収容位置（収容グループ内の収容位置）は“ＳＴＭ２−１”である。また、パスＺのパスＸに対する収容位置（収容グループ内の収容位置）は“ＳＴＭ３−３”である。
Ｆｉｇ．１１に示すＳＤＨネットワークのトレイル構成がトレイル構成管理テーブル２５（Ｆｉｇ．５）で定義されている場合において、例えば、パスＺの上位トレイルの検索条件が指定されると、各タブ４０，４１の表示領域４４，４５には、パスＶ，パスＸが検索結果として夫々表示される［Ｆｉｇ．１１中の〈１〉，〈２〉］。
このとき、パスＶ，パスＸが夫々指定されると、トレイル構成管理テーブル２５が検索され、各表示領域４６，４７，４８，４９に、パスＺの収容グループと、パスＺの収容グループ内での収容位置が表示される。
具体的には、各表示領域（収容グループ欄）４６，４７は、ＳＴＭ−１相当を占有しているパス（この例ではパスＹ）について、パス名称を表示する。また、ＳＴＭ−０で収容を占有しているパス（この例ではパスＺ）について、“収容有り”と表示する［Ｆｉｇ．１１中の〈３〉，〈４〉］。
この“収容有り”の部分が選択又は指定されると、対応するグループ内収容位置の表示領域に収容状況が表示される。即ち、収容グループを構成する３つのＳＴＭ−０が表示されるとともに、収容位置に相当するＳＴＭ−０の欄に、パスの名称が表示される［Ｆｉｇ．１１中の〈５〉，〈６〉］。なお、上記動作は、タブ毎に直列に実施することもでき、二つのタブについて並列に実施することもできる。
Ｆｉｇ．１０に戻って、入力画面３８には、二つの矢印ボタン５０，５１が設けられている。入力画面３８に表示されるタブは、登録対象のパス（自パス）を収容する一レイヤ上位のパスの数に応じて用意される。但し、一度に入力画面３８に表示されるタブの数は２つに制限されている。矢印ボタン５１，５２は、現在入力画面３８上に表示されていない他の上位パスについてのタブを入力画面３８上に呼び出すために使用される。
Ｆｉｇ．１２及びＦｉｇ．１３は、トレイルの構成を新規登録する場合のトレイル構成登録画面３８の操作の様子を示す図である。Ｆｉｇ．１２及びＦｉｇ．１３は、図中に示すＳＤＨネットワークにおいて、パスＵ（ＳＴＭ−０）を新規登録する場合のトレイル構成登録画面３８を示している。
Ｆｉｇ．１２において、運用者は、トレイル構成登録画面３８を呼び出すと、最初に、登録トレイル名称の表示欄３９に、登録対象の自トレイル（パスＵ）の名称を、登録トレイル名称として入力する。入力された名称は、表示欄３９にて表示される［Ｆｉｇ．１２の（Ｓ１）］。
この例では、パスＵを収容する上位トレイルは、パスＶ（ＳＴＭ−４），パスＸ（ＳＴＭ−１６），及びパスＴ（ＳＴＭ−１）の３つであり、これらがパスＵの収容先トレイルとなる。なお、パスＶ，パスＸ及びパスＴによるパスＵの収容順は、パスＶ→パスＸ→パスＴである。
運用者は、上記した上位パスを抽出するため、入力画面３８に表示された或るタブ（例えばタブ４０）を用い、その設定欄４２にパスＵの上位トレイルの検索条件を入力し、検索ボタンを押す。すると、タブ４０の表示領域４４に、検索結果としての上位トレイルの一覧が表示される［Ｆｉｇ．１２の（Ｓ２）］。一覧は、上位トレイルに相当する各パスＶ，Ｘ及びＴのレコードを含んでいる。
運用者は、一覧の中から、収容順に従って、パスＶを選択する（マウスクリックする）。すると、表示領域４４の表示内容が、パスＵのレコードのみとなり、表示領域４６に、パスＵの収容状況として、パスＵの収容グループの一覧（リスト）が表示される［Ｆｉｇ．１２の（Ｓ３）］。一覧（リスト）は、パスＵに収容される４つの収容グループを示すレコードを含んでいる。
ここで、パスＵは、パスＶの収容グループＳＴＭ２において、収容位置ＳＴＭ２−３に収容することを予定しているものとする。これに従い、運用者は、表示領域４６の一覧から、収容グループＳＴＭ２をマウスクリック等によって選択する。なお、表示領域４６の収容グループＳＴＭ２のレコードは、パスＤを含むことを示す“収容有り”を含んでいる。
収容グループＳＴＭ２が選択されると、表示領域４８に、収容グループＳＴＭ２内の収容状況を示す一覧が表示される。この一覧は、ＳＴＭ−０の収容位置と、その位置に収容されているＳＴＭ−０のパスの名称とを表示するレコードからなる。このとき、空き状態である収容位置のレコードは、空き状態を示す態様で表示される。例えば、パスの名称が表示されない態様で表示される［Ｆｉｇ．１２の（Ｓ４）］。ここで、登録対象のパスＵ（自トレイル）の収容位置がＳＴＭ２−３であるものとすると、ＳＴＭ２−３の収容位置に対するレコードは、パスを収容していない状態（空き状態）を示す態様で表示される。
運用者は、収容予定位置のＳＴＭ２−３が空き状態であることを確認した上で、自トレイル（パスＵ）の収容位置を指定する［Ｆｉｇ．１２の（Ｓ５）］。この指定は、例えば、パスＵの名称を表示領域４８の所定のレコード中に加えることによって実施することができる。
次に、運用者は、パスＸの収容位置を確定する。運用者は、タブ４１を用い、上述した（Ｓ２）と同様の操作によって、表示領域４５に上位トレイルの一覧を表示させる［Ｆｉｇ．１２の（Ｓ６）］。この場合は、運用者は、パスＸを指定する。
なお、タブ４０を用いて検索条件が指定され、検索ボタンが押された揚合に、タブ４０の表示領域４４にパスＵのレコードのみが表示され、タブ４１にパスＸのレコードのみが表示されるようにしても良い。このようにすれば、運用者が、タブ毎に同じ操作を繰り返す必要がなくなる。
パスＸが指定されると、表示領域４７に、表示領域４５の表示内容が、パスＸのレコードのみとなり、表示領域４７に、パスＸの収容状況として、パスＸの収容グループの一覧が表示される［Ｆｉｇ．１２の（Ｓ７）］。
ここで、パスＵは、パスＸの収容グループＳＴＭ３において、収容位置ＳＴＭ３−１に収容する予定となっている。これに従って、運用者は、表示領域４７の一覧から、収容グループＳＴＭ３をマウスクリック等によって選択する。
収容グループＳＴＭ３が選択されると、表示領域４９に、収容グループＳＴＭ３内の収容状況を示す一覧が表示される［Ｆｉｇ．１２の（Ｓ８）］。ここで、パスＵ（自トレイル）の収容位置はＳＴＭ３−１であり、これに対するレコードは、パスを収容していない状態（空き状態）を示す態様で表示される。運用者は、収容予定位置のＳＴＭ３−１が空き状態であることを確認した上で、パスＵの収容位置を指定する［Ｆｉｇ．１２の（Ｓ９）］。
次に、運用者は、上位トレイル（パスＴ）についてパスＵを設定する必要があるので、右方向の矢印ボタン５１を操作し、入力画面３８上に他のタブを呼び出す。すると、入力画面３８の状態が、Ｆｉｇ．１３に示す状態に遷移する。即ち、パスＶについてのタブ４０が画面から消去され、タブ４１がタブ４０の表示位置にシフトする。そして、タブ４１の元の場所に、他のタブ５２が表示される。タブ５２は、各タブ４０，４１と同じ構成を有している。
運用者は、タブ５２を用いて、タブ４０及び４１に対する操作と同様の操作を行い、タブ５２の上位トレイル一覧の表示領域５３に、パスＵの上位トレイルの一覧を表示させる［Ｆｉｇ．１３の（Ｓ１１）］。運用者は、パスＴのレコードを指定する。パスＴが指定されると、表示領域５３の表示内容が、パスＴのレコードのみとなり、表示領域５４に、パスＴの収容状況として、パスＴの収容グループの一覧が表示される［Ｆｉｇ．１３の（Ｓ１２）］。
ここで、パスＴは、ＳＴＭ−１であるため、１つの収容グループ“ＳＴＭ１”のみを持つ。そこで、運用者は、収容グループＳＴＭ１をマウスクリック等によって選択する。収容グループＳＴＭ１が選択されると、タブ５２の表示領域５５に、収容グループＳＴＭ１内の収容状況を示す一覧が表示される［Ｆｉｇ．１３の（Ｓ１３）］。
ここで、パスＵ（自トレイル）の収容位置はＳＴＭ１−２であり、これに対するレコードは、パスを収容していない状態（空き状態）を示す態様で表示される。運用者は、収容予定位置のＳＴＭ１−２が空き状態であることを確認した上で、パスＵの収容位置を指定する［Ｆｉｇ．１２の（Ｓ１４）］。
以上によって、自トレイルたるパスＵの登録内容の指定・選択・入力が終了する。すると、運用者は、入力画面３８に設けられている登録ボタン５６を押す。すると、各タブ４０，４１及び５２で設定されたパスＵの登録内容が、Ｗｅｂ端末１０Ａからトレイル管理部２０Ａに渡され、トレイル管理ＤＢ２３に登録される。
なお、上記例では、運用者が上位トレイルにおける自トレイルの収容位置を予め決めてから登録処理を行う操作を説明している。これに対し、運用者が、各タブの収容グループ及びグループ内収容位置の表示領域の表示内容を参照し、空き状態を把握してから、自トレイルの収容先を決定するようにしても良い。
以上の構成によれば、運用者がトレイル構成を登録する際に、検索条件を指定することで、自トレイルの上位トレイルを操作画面（入力画面３８）上に呼び出すことができる。そして、呼び出された各上位トレイルを指定することで、上位トレイルの空き状況を入力画面３８上に表示させることができる。そして、自トレイルの各上位トレイルに対する収容位置を規定し、登録することができる。
このように、自トレイルに対する複数の上位トレイルに対する処理を一度に実施できる。このため、従来のように、運用者がＮＥ−ＯＰＳ毎にトレイル構成を登録する必要がない。従って、運用者の作業負担が軽減されるとともに、登録のし忘れや二重登録を防止することができる。また、運用者は、複数の上位トレイルを順次指定することによって、従来のカテゴリ単位を意識することなくトレイル構成を登録することができる。
〈管理システムの操作および処理〉
次に、運用者が統合ネットワークの運用業務を行う際におけるネットワーク管理システムの操作および管理システムの処理について説明する。
トレイル管理機能部２０（Ｆｉｇ．２）は、上述したトレイル構成管理テーブル２５と、業務カテゴリ単位ＮＥ−ＯＰＳ連携テーブル２４と、カテゴリ単位ＮＥ−ＯＰＳ管理テーブル２９を使用し、トレイル管理業務毎に、連携が必要となるカテゴリ単位ＮＥ−ＯＰＳを自動認識する。以降、手順を追って説明する。
Ｆｉｇ．１４は、カテゴリ単位ＮＥ−ＯＰＳとカテゴリ単位ＮＥおよびそのＮＥにて構築される統合ネットワークを示す図である。Ｆｉｇ．１４において、統合ネットワークは以下のように構成されている。
カテゴリ１ＮＥ−ＯＰＳ１号機（ＯＰＳ６１）は、その配下のカテゴリ１ＮＥ＃１（ＮＥ７１）と接続されている。カテゴリ１ＮＥ−ＯＰＳ２号機（ＯＰＳ６２）は、その配下のカテゴリ１ＮＥ＃２（ＮＥ７２）に接続されている。カテゴリ２ＮＥ−ＯＰＳ（ＯＰＳ６３）は、その配下のカテゴリ２ＮＥ＃１（ＮＥ７３）およびＮＥ＃２（ＮＥ７４）に接続されている。カテゴリ３ＮＥ−ＯＰＳ１号機（ＯＰＳ６４）は、その配下のカテゴリ３ＮＥ＃３（ＮＥ７５）に接続されている。カテゴリ３ＮＥ−ＯＰＳ２号機（ＯＰＳ６５）は、その配下のカテゴリ３ＮＥ＃１（ＮＥ７６）に接続されている。
各ＯＰＳ６１〜６５の上位には、ネットワーク管理システム６０（Ｗｅｂ端末１０Ａ及びトレイル管理部２０）が用意され、各ＮＥ−ＯＰＳ６１〜６５は、管理システム６０に接続されている。ＮＥ間には、以下のように、パス（トレイル）Ａ〜Ｉが設定される。
パスＡ（１５０Ｍｂｐｓ）はＮＥ７１とＮＥ７４との間（カテゴリ１−２間）に設定され、ＮＥ７１及びＮＥ７４はパスＡを終端する。パスＢ（６００Ｍｂｐｓ）はＮＥ７４とＮＥ７５との間（カテゴリ２−３間）に設定され、ＮＥ７４及びＮＥ７５はパスＢを終端する。パスＣ（２．４Ｇｂｐｓ）はＮＥ７５とＮＥ７６との間（カテゴリ３内）に設定され、ＮＥ７５及びＮＥ７６はパスＣを終端する。パスＤ（１５０Ｍｂｐｓ）はＮＥ７６とＮＥ７３との間（カテゴリ３−２間）に設定され、ＮＥ７６及びＮＥ７３はパスＤを終端する。パスＥ（１５０Ｍｂｐｓ）はＮＥ７３とＮＥ７２との間（カテゴリ２−１間）に設定され、ＮＥ７３及びＮＥ７２はパスＥを終端する。パスＦ（ＶＣ３２）はＮＥ７１とＮＥ７４との間（カテゴリ１−２間）に設定され、ＮＥ７１及びＮＥ７４はパスＦを終端する。パスＦはパスＡに収容される。パスＧ（ＶＣ３２）はＮＥ７３とＮＥ７４との間にＮＥ７５及び７６を経由して設定される（カテゴリ２−３−２間）。各ＮＥ７４，７３はパスＧを夫々終端する。パスＧはパスＢ，Ｃ及びＤに夫々収容される。パスＨ（ＶＣ３２）はＮＥ７３とＮＥ７２との間（カテゴリ１−２間）に設定され、ＮＥ７３及びＮＥ７２はパスＨを終端する。パスＨはパスＥに収容される。パスＩ（ＶＣ１１）はＮＥ７１とＮＥ７２との間にＮＥ７４及び７３を経由して設定される（カテゴリ１−２−１間）。各ＮＥ７１，７２はパスＩを夫々終端する。パスＩはパスＦ，Ｇ及びＨに夫々収容される。
カテゴリ１に属するＮＥ７１及び７２は、１５０Ｍ，ＶＣ３２及びＶ１１の各レイヤのネットワーク（回線またはパス）を終端し、これらを自身の管理対象とする。カテゴリ２に属するＮＥ７３は、１５０Ｍ，Ｖ３２及びＶ１１を終端し、これらを自身の管理対象とする。カテゴリ２に属するＮＥ７４は、６００Ｍ，１５０Ｍ，Ｖ３２及びＶ１１を終端し、これらを自身の管理対象とする。カテゴリ３に属するＮＥ７５は、６００Ｍ，２．４Ｇ，及びＶＣ３２の各レイヤを終端し、これらを自身の管理対象とする。カテゴリ３に属するＮＥ７６は、２．４Ｇ，１５０Ｍ，及びＶ３２を終端し、これらを自身の管理対象とする。このように、Ｖ１１のレイヤは、カテゴリ３に属する各ＮＥ７５，７６の管理対象外となっている。なお、Ｆｉｇ．１４に示すパス（トレイル）名称の横のカッコ内の名称（１５０Ｍ，Ｖ３２等）は、トレイル種別を意味する。
Ｆｉｇ．１５は、ネットワーク管理システム６０で管理されるトレイル管理の連携ＮＥ−ＯＰＳ情報を示す図である。Ｆｉｇ．１５には、Ｆｉｇ．１４に示した統合ネットワークの構成に応じた業務カテゴリ単位ＮＥ−ＯＰＳ連携テーブル２４と、カテゴリ単位ＮＥ−ＯＰＳ管理テーブル２９とが示されている。これらのテーブル２４および２９に格納されたＮＥ−ＯＰＳに係る情報を、必要に応じてＯＰＳ情報と呼ぶ。ＯＰＳ情報は、運用者による管理システム６０を用いた運用業務の前に、予め各テーブル２４および２９に登録される。
次に、管理システム６０を用いた運用業務（管理システム６０の操作および処理）を説明する。運用者は、最初に、管理システム６０を操作し、トレイルが装置（ＮＥ）に物理的に接続されるレイヤ（Ｆｉｇ．１４における、パスＡ，パスＢ，パスＣ，パスＤ，パスＥ）について、カテゴリ単位ＮＥ−ＯＰＳを指定する。この操作について、パスＡおよびパスＢを例として説明する。
Ｆｉｇ．１６は、連携時における管理システム６０（Ｗｅｂ端末１０Ａおよびトレイル管理部２０）による動作例を示す図であり、Ｆｉｇ．１７〜２０は、連携時における入力画面の表示例を示す図である。但し、Ｆｉｇ．１６は、パスＡ（１５０Ｍｂｐｓ）についての連携動作が示されており、Ｆｉｇ．１７〜１９は、パスＢ（６００Ｍｂｐｓ）についての画面入力例が示されている。
パスＡについて業務（トレイル設定）を行う場合、運用者は、管理システム６０を用いて、パスＡのトレイル名称を登録し、その後、連携を実施するカテゴリ単位ＮＥ−ＯＰＳを指定する。
パスＡの設定は、カテゴリ１ＮＥ−ＯＰＳ１号機（ＯＰＳ６１）とカテゴリ２ＮＥ−ＯＰＳ１号機（ＯＰＳ６３）とが連携する必要がある。運用者は、Ｗｅｂ端末１０Ａのディスプレイに、Ｆｉｇ．１７に示すようなトレイル管理業務画面（管理業務画面）７７を呼び出す。
管理業務画面７７は、トレイル管理業務の種別（トレイル設定，トレイル試験，トレイル削除）毎に用意される。Ｆｉｇ．１７には、例として、トレイル設定についての管理業務画面７７が示されている。なお、トレイル管理業務の種別に対して共通なトレイル管理業務画面を用意し、その共通のトレイル管理業務画面において運用者がトレイル管理業務の種別を指定できるようにしても良い。
管理業務画面７７は、上述したトレイル名称登録画面３７（Ｆｉｇ．７Ａ参照）としての機能を含んでいる。即ち、管理業務画面７７は、上位箇所，下位箇所，トレイル種別，番号，系，およびユーザ名をトレイル名称を生成するための単品名称として入力するための複数の入力欄７０１〜７０６を有している。運用者は、上位箇所，下位箇所，トレイル種別，番号，系を必須の入力項目として入力を行い、確定ボタン７０８を押す。
すると、トレイル管理トレイル名称としてのトレイル名称が、Ｆｉｇ．７を用いて説明した方法で作成され、対応する表示欄７０７に表示される。ここで、運用者が名称確定ボタン７０９を押すと、ＮＥ−ＯＰＳトレイル名称（カテゴリ単位ＮＥ−ＯＰＳトレイル名称）登録画面７８が表示される。
ＮＥ−ＯＰＳトレイル名称登録画面７８（名称登録画面７８）は、トレイル管理トレイル名称（ネットワーク接続管理トレイル名称）の表示欄７２１を有しており、管理画面７７で確定されたトレイル管理トレイル名称がこの表示欄７２１に表示される。
また、名称登録画面７８は、カテゴリ単位ＮＥ−ＯＰＳ毎の連携の有無およびカテゴリ単位ＮＥ−ＯＰＳトレイル名称の一覧が入力および表示される表示領域７２２を有している。連携の有無は、業務種別（管理業務画面７７の種別から特定される）および設定対象のパスのトレイル種別をキーとして連携テーブル２４から対応するカテゴリ単位ＮＥ−ＯＰＳ種別（自トレイルに関連するカテゴリ）が抽出されることにより、当該表示領域７２２に自動入力される。一方、カテゴリ単位ＮＥ−ＯＰＳトレイル名称は、Ｆｉｇ．７で説明した方法により作成され、連携テーブル２４から抽出されたカテゴリ単位ＮＥ−ＯＰＳ種別に対応づけて当該表示領域７２２に自動入力される。カテゴリ単位ＮＥ−ＯＰＳ種別の抽出（連携の有無の判断）およびトレイル名称の生成は、例えばトレイル管理機能部２１で行われる。
さらに、表示領域７２２は、設定対象のパスを収容する上位（上流側）のＮＥ−ＯＰＳの識別情報（上位ＯＰＳＮｏ．）と、下位（下流側）のＮＥ−ＯＰＳの識別情報（下位ＯＰＳＮｏ．）との各入力欄７２３，７２４を有している。各入力欄７２３，７２４はカテゴリ単位ＮＥ−ＯＰＳ毎に設けられている。各入力欄７２３，７２４の近傍には、ＮＥ−ＯＰＳの候補一覧の表示ボタン７２５，７２６がそれぞれ設けられており、この一覧表示ボタン７２５，７２６が押されると、対応するカテゴリ単位ＮＥ−ＯＰＳ種別に応じた１以上のＮＥ−ＯＰＳの識別情報（番号）を示すプルダウンメニュー（図示せず）が表示される。このプルダウンメニューに表示されるＮＥ−ＯＰＳの候補は、カテゴリ単位ＮＥ−ＯＰＳテーブル２９の格納内容に従って決定・表示される。運用者は、プルダウンメニューに表示されたＮＥ−ＯＰＳの候補の中から、設定対象のパスに係るＮＥ−ＯＰＳを選択することができる（Ｆｉｇ．１８参照）。Ｆｉｇ．１８には、パスＢに係る上位ＯＰＳおよび下位ＯＰＳとして、カテゴリ２ＮＥ−ＯＰＳ１号機（ＯＰＳ６２）と、カテゴリ３ＮＥ−ＯＰＳ１号機（ＯＰＳ６４）とがそれぞれ選択された様子が示されている。
さらに、名称登録画面７８は、登録ボタン７２７と「閉じる」ボタン７２８とを有している。「閉じる」ボタン７２８はこの名称登録画面７８を閉じるためのボタンであり、キャンセルボタンとして機能する。一方、登録ボタン７２７が押されると、名称登録画面７８の表示内容がトレイル構成管理テーブル２５（Ｆｉｇ．４）およびトレイル名称管理テーブル２６（Ｆｉｇ．６）にそれぞれ登録される。即ち、設定対象のパスに係るレコードがトレイル構成管理テーブル２５に登録され、トレイル管理トレイル名称およびカテゴリ単位ＮＥ−ＯＰＳトレイル名称がトレイル名称管理テーブル２６に登録される。この登録処理は、例えばトレイル管理機能部２１によって行われる。
名称登録画面７８の登録ボタン７２７が押されると、名称登録画面７８が閉じ、再び管理業務画面７７が表示される。運用者は、設定対象のパスについて連携するＮＥ−ＯＰＳを指定する。管理業務画面７７は、ＮＥ−ＯＰＳの指定欄７１２を有している。指定欄７１２の近傍には、プルダウンメニューの表示ボタン７１３が設けられており、この表示ボタン７１３が押されると、設定対象のパスについて登録した上位ＯＰＳおよび下位ＯＰＳが指定対象のＮＥ−ＯＰＳの候補として表示されたプルダウンメニュー７１４が表示される（Ｆｉｇ．１９参照）。運用者は、プルダウンメニュー７１４から１つのＮＥ−ＯＰＳを選択することで、ＮＥ−ＯＰＳを指定することができる。
指定欄７１２でＮＥ−ＯＰＳが指定された状態で、管理業務画面７７に設けられている「ＮＥ−ＯＰＳ連携」ボタン（連携ボタン）７１１が押されると、対応するＮＥ−ＯＰＳの操作画面（パス設定画面）の起動処理が行われる。この起動処理をＦｉｇ．１６を用いて説明する。
管理業務画面７７の連携ボタン７１１が押されると、トレイル管理部２０において、指定されたＮＥ−ＯＰＳに対応する連携機能部２２（カテゴリ２に対応する連携機能部）が起動し、指定されたＮＥ−ＯＰＳのカテゴリ単位ＮＥ−ＯＰＳ種別および識別情報（番号）に対応するアドレスを、指定されたＮＥ−ＯＰＳのアドレスとして管理テーブル２９から読み出す。続いて、連携機能部２２は、指定されたＮＥ−ＯＰＳのＮＥ−ＯＰＳ種別，トレイル管理業務種別（管理業務画面の種別から特定される），および設定対象のパスのトレイル種別に対応する連携画面情報を業務カテゴリ単位ＮＥ−ＯＰＳ連携テーブル２４から読み出す。さらに、連携機能部２２は、指定されたＮＥ−ＯＰＳに対応するカテゴリ単位ＮＥ−ＯＰＳトレイル名称をトレイル名称管理テーブル２６から読み出す。そして、連携機能部２２は、ＮＥ−ＯＰＳのアドレス，連携画面情報（ＵＲＬ），カテゴリ単位ＮＥ−ＯＰＳトレイル名称を含むＨＴＭＬ情報を画面起動情報としてＷｅｂ端末１０の画面連携機能部３１に与える。
画面連携機能部３１は、画面起動情報を解釈し、これに含まれたアドレスに位置するＮＥ−ＯＰＳ（Ｆｉｇ．１６に示す例ではＯＰＳ６１）に対し、連携画面情報とカテゴリ単位ＮＥ−ＯＰＳトレイル名称を含む指示を与える。
すると、ＯＰＳ６１のＮＭ管理機能１１は、連携画面情報に対応するＮＥ−ＯＰＳの操作画面（パスＡの設定画面）の情報を、例えばＮＭ管理ＤＢ１３から読み出し、この設定画面にカテゴリ単位ＮＥ−ＯＰＳトレイル名称を表示するための編集処理を行い、Ｗｅｂ端末１０Ａへ送信する。
Ｗｅｂ端末１０Ａは、ＯＰＳ６１から得た情報に基づき、ＯＰＳ６１のパスＡの設定画面８０をディスプレイに表示する。この設定画面８０には、対応するカテゴリ単位ＮＥ−ＯＰＳトレイル名称が表示される。即ち、トレイル名称が確定した状態で設定画面８０が表示される。
これにより、運用者がトレイル名称を入力する手間を省略することができる。また、トレイル名称の入力ミスを防止できる。また、トレイル名称がトレイルの属性（上位箇所，下位箇所，トレイル種別，番号等）を用いて作成されているので、トレイル構成を入力する手間も省くことができる。
なお、上記した例では、Ｗｅｂ端末１０Ａがトレイル名称をＮＥ−ＯＰＳに送信し、ＮＥ−ＯＰＳが操作画面にトレイル名称を表示するための編集処理を行っている。これに対し、Ｗｅｂ端末１０がトレイル名称を送信せず、上記編集処理をＷｅｂ端末１０Ａ側で行うようにしても良い。
また、運用者は、管理画面７７において、下位ＯＰＳを指定し、連携ボタン７９を押すと、上述した起動処理が下位ＯＰＳについて行われ、下位ＯＰＳの操作画面（パスの設定画面）８１がＷｅｂ端末１０Ａのディスプレイ上で起動する。
運用者は、設定画面８０，８１に対し、必要な情報を入力し、ＮＥの制御ボタンを押す。すると、設定画面８０への入力内容（設定に係る指定項目）がＯＰＳ６１に送信され、設定画面８１への入力内容がＯＰＳ６３に送信される。なお、指定項目として、通過セル数，帯域，アラーム，パフォーマンスモニタを例示でき、これらについてのパラメータが設定される。
各ＯＰＳ６１，６３は、受信した指定項目に従って配下のＮＥ（ＮＥ７１，７４）をそれぞれ制御し、パスＡを設定（登録）する。このようにして、運用者は、パスＡの設定業務を行うことができる。
運用者は、他の物理的に接続されるレイヤのトレイル（Ｆｉｇ．１４に示すパスＢ，パスＣ，パスＤ，パスＥ）についても上記した操作と同様の操作により、ＮＥ−ＯＰＳの操作画面（パス設定画面）を起動させることができる。Ｆｉｇ．２０は、上記した操作によってパスＡ〜Ｅが登録された場合におけるトレイル構成管理テーブル２５を示す図である。
次に、上位トレイルに収容されるトレイル（上位パスを有するパス；Ｆｉｇ．１４におけるパスＦ，パスＧ，バスＨ）の設定について説明する。上位パスに収容されるパスは、そのトレイル構成の登録によって、上位パスに係るＯＰＳ連携情報（上位ＯＰＳおよび下位ＯＰＳ）を認識することができる。このため、下位のトレイル（配下のトレイル）については、トレイル構成を登録するのみで、連携先のカテゴリ単位ＮＥ−ＯＰＳが自動認識され、対応する操作画面を起動することができる。
パスＧの設定を例として説明する。パスＧの構成を登録する場合、運用者は、Ｗｅｂ端末１０Ａを操作して、Ｆｉｇ．１７に示したようなトレイル管理画面７７を呼び出し、パスＧのトレイル管理トレイル名称を確定させる。その後、トレイル管理画面７７に設けられている収容登録ボタン７１０を押す。
すると、Ｆｉｇ．１０に示したようなトレイル構成入力画面３８がディスプレイに表示される。このとき、管理画面７７で確定したパスＧのトレイル管理トレイル名称が表示欄３９に表示される。続いて、運用者は、パスＧの上位パス（収容先トレイル）を検索することができる。即ち、パスＧを収容する上位トレイルの検索条件（上位箇所，下位箇所，トレイル種別，番号の組み合わせ）を入力し、検索ボタンを押すと、検索条件に合致する名称を持つ上位トレイルがトレイル構成管理テーブル２５から抽出され、表示欄４４に表示される。後は、Ｆｉｇ．１１〜１３を用いて説明した方法と同様の方法により、表示欄４４からパスＧの上位トレイルを指定し、この上位トレイルに対するパスＧの収容位置を決定する。
このとき指定された上位トレイルについては、連携先のＯＰＳ情報（上位ＯＰＳおよび下位ＯＰＳ）が既にトレイル構成管理テーブル２５に登録されている。一方、パスＧと指定された上位トレイルとの関係においては、上位ＯＰＳおよび下位ＯＰＳは同じである。従って、指定された上位トレイルの上位および下位ＯＰＳ情報が自トレイル（自パス；ここではパスＧ）の上位および下位ＯＰＳ情報として入力されれば、自トレイルの連携先を確定することができる。このため、パスＧの上位パスとして例えばパスＢが指定され、パスＢにおけるパスＧの収容位置が指定されると、トレイル管理部２０（例えば、トレイル管理機能部２１）は、パスＧのパスＢに係るレコードを自動的に生成し、トレイル構成管理テーブル２５に登録する。運用者は、同様の方法により、パスＣおよびパスＤに係るパスＧのレコードをトレイル構成管理テーブル２５に登録することができる。Ｆｉｇ．２１は、パスＧの構成（連携情報）の登録の様子（上位収容を持つトレイルの自動認識）を示す図である。
その後、運用者は、管理画面７７に戻り、パスＧのトレイル管理トレイル名称が表示欄７０７に表示されている状態で名称確定ボタン７０９を押せば、登録画面７８が表示され、この登録画面７８においてパスＧのカテゴリ単位ＮＥ−ＯＰＳトレイル名称が自動的に生成される。このとき、トレイル構成管理テーブル２５に登録された上位および下位ＯＰＳ情報を用いて生成された上位および下位ＯＰＳ情報が表示欄７２３，７２４に自動的に表示される。そして、運用者が登録ボタン７２７を押してパスＧのトレイル名称をトレイル名称管理テーブル２６に登録すれば、トレイル管理部２０は、パスＧについての画面起動情報を生成可能な状態となる。
従って、運用者は、管理画面７７に戻り、連携先のＮＥ−ＯＰＳを指定して連携ボタン７１１を押せば、指定したパスＧに係るＮＥ−ＯＰＳの操作画面を起動させることができる。このようにして、運用者は、物理レイヤより下位のパスを設定することができる。
このように、運用者は、物理レイヤのトレイルに収容されるトレイルについては、トレイル構成の登録において、上位および下位ＯＰＳを指定する必要がない。そして、運用者は、管理画面７７に戻り、連携先のＮＥ−ＯＰＳを指定して連携ボタン７１１を押せば、指定したパスＧに係るＮＥ−ＯＰＳの操作画面を起動させることができる。このようにして、運用者は、物理レイヤより下位のパスを設定することができる。
なお、上記例では、画面３８を用いた収容登録の後、画面７７を通じて画面７８と起動している。これに代えて、収容登録が終了すると、自動的に画面７８が起動するようにしても良い。また、上記例では、運用者が画面７８を呼び出して自動的に生成されたカテゴリ単位ＮＥ−ＯＰＳトレイル名称の登録指示を入力することにより、トレイル名称のテーブル２６への登録が行われる。これに代えて、収容登録が終了した時点で、トレイル管理部２０の内部処理により、自動的にカテゴリ単位ＮＥ−ＯＰＳトレイル名称が生成され、テーブル２６に登録されるようにしても良い。
以降、物理的に接続されるレイヤよりも一レイヤ下位の他のトレイル（Ｆｉｇ．１４におけるパスＦ，パスＨ）についても、運用者は、パスＧに係る操作と同様の操作を行うことにより、これらのパスＦ，Ｈの設定画面を起動連携することができる。Ｆｉｇ．２２は、物理的に接続されるレイヤより一レイヤ下位のトレイルのレコードが新たに登録されたトレイル構成管理テーブル２５の内容を示す図である。
なお、上記例では、設定対象のパスの収容登録を上流側から順に行うことで、登録順がパスの接続順として管理テーブル２５に自動的に登録される。これに代えて、運用者側で接続順を入力するようにしても良い。
次に、さらに下位レイヤ（Ｆｉｇ，１４におけるパスＩ）のトレイル設定における操作について説明する。運用者は、パスＩの設定に関し、パスＧについて説明した操作と同様の操作を行えば良い。
Ｆｉｇ．２３は、パスＩの構成（連携情報または連携ＯＰＳ情報）の登録の様子を示す図である。Ｆｉｇ．２３に示すように、パスＩのレコード生成に際し、パスＩを収容する１レイヤ上位のパス（パスＦ，パスＧ，パスＨ）の上位および下位ＯＰＳ情報、すなわち端点情報が自動的に取得される。パスＧの収容部分の連携ＯＰＳ情報を獲得する場合には、パスＧの最上位ＯＰＳ（接続順１の上位ＯＰＳ種別）、および最下位ＯＰＳ（接続順３の下位ＯＰＳ）を獲得する。即ち、設定対象のパスの上位トレイルが複数のトレイルに収容されている場合、上位トレイルの最上位および最下位のＯＰＳ種別を獲得する必要がある。ここで、トレイル構成管理テーブル２５においては、上位トレイルについて、接続順および接続パスの上位，下位の順にＯＰＳ情報が既に格納されている。このため、最上位ＯＰＳとして接続順が最小値の上位側のＯＰＳ種別を獲得し、最下位ＯＰＳとして、接続順が最大値の下位側のＯＰＳ種別を獲得する。
これによって、連携先のカテゴリ単位ＮＥ−ＯＰＳが認識され、パスＩに係る画面起動情報の要素情報がトレイル管理部２０内の各テーブルに登録された状態になる。即ち、Ｆｉｇ．１６に示す作用と同様の作用によって、パスＩの設定に係るＮＥ−ＯＰＳの画面起動情報を生成する事が可能となる。
このように、運用者は、トレイル管理業務画面７７を呼び出し、パスＩのトレイル名称を画面７７を用いて設定し、パスＩのトレイル構成を画面３８を用いて登録すれば、管理システム６０に接続されているカテゴリ単位ＮＥ−ＯＰＳを意識することなく、関連するカテゴリ単位ＮＥ−ＯＰＳが自動的に登録され、このＮＥ−ＯＰＳの操作画面を必要に応じてＷｅｂ端末１０Ａのディスプレイ上で起動することができる。
通常、ＮＥが導入される場合には、ＮＥ設置および物理的な接続（光ファイバー等）は、ＮＥの設置直後に実施され、通常の運用において物理接続を変更することは発生しない。通常の運用において日々発生する業務として、ＮＥ内の論理的なパス設定作業（Ｓｏｆｔ  Ｓｔｒａｐ）が発生する。上述したように、物理的な接続については、運用者が連携ＯＰＳを指定するが、このような作業は日々の運用において、多々発生するわけではない。このため、ので運用的にも要件を達成していると考える。
Ｆｉｇ．２４は、管理システム６０の操作フローを示す図であり、Ｆｉｇ．２５は、管理システム６０の操作における画面入力の流れを示す図であり、Ｆｉｇ．２５（Ａ）は、物理レイヤのトレイルに係る入力画面の遷移を示し、Ｆｉｇ．２５（Ｂ）は、上位収容必須トレイルの入力画面の遷移を示し、Ｆｉｇ．２５（Ｃ）は、上位収容不定トレイルの入力遷移を示す。
運用者は、物理レイヤのトレイルの設定を行う場合には、最初に、管理業務画面７７を呼び出し、設定対象のトレイルのトレイル管理トレイル名称を登録する（Ｓ００１）。次に、運用者は、トレイル種別名称により上位収容トレイルの有無を判断する（Ｓ００２）。このとき、上位収容トレイルはないので（Ｓ００２；なし）、名称登録画面７８を呼び出し、カテゴリ単位ＮＥ−ＯＰＳトレイル名称を決定するとともに、連携ＯＰＳ（上位および下位ＯＰＳ）を決定する（Ｓ００４）。そして、管理業務画面７７から連携ＯＰＳの操作画面をそれぞれ起動させ（Ｓ００５）、起動した操作画面を用いてＮＥ−ＯＰＳに対する指示を入力する（Ｓ００６，００７）
また、運用者は、上位収容必須トレイル（所定のトレイルに収容されることが必須のトレイル）の設定を行う場合には、最初に、管理業務画面７７を呼び出し、そのトレイル管理トレイル名称を登録する（Ｓ００１）、このとき、上位収容トレイルがあるので、運用者は、処理をステップＳ００３に進め、トレイル構成画面（収容登録画面）３８を呼び出し、収容登録を行う。その後は、物理レイヤのトレイルの場合と同様の処理を行う。  また、運用者は、上位収容不定トレイルの設定については、上述した二つの操作の何れかを行う。
〈実施形態の効果〉
管理システムは、カテゴリ単位でネットワークを管理するＮＥ−ＯＰＳの上位に位置し、ネットワーク全体のトレイル（Ｔｒａｉｌ）を管理する。
管理システムは、トレイル管理部２０において、ネットワーク全体のトレイル構成を管理する。また、トレイルの名称を管理する。名称については、自パスに係るカテゴリ単位のＮＥ−ＯＰＳ毎の名称（カテゴリ単位ＮＥ−ＯＰＳトレイル名称）も合わせて管理（名称生成および編集を含む）する。
また、管理システムは、トレイル管理部２０において、カテゴリ単位のＮＥ−ＯＰＳと連携する場合に、ＮＥ−ＯＰＳで予め管理されているＮＥ−ＯＰＳの操作画面を、トレイル管理部２０で管理しているＮＥ−ＯＰＳに関する情報を用いて、操作端末１０に直接起動表示させる。このことにより、既存のカテゴリ単位のＮＥ−ＯＰＳの機能をそのまま使用することができる。一方、トレイル管理部２０では、カテゴリ単位のＮＥの機能を意識した動作を実施する必要が無い。従って、ネットワークを統合する機能として、カテゴリを意識した管理画面および内部処理を用意する必要がない。
さらに、管理システムによると、管理業務は、トレイル管理部２０において、先にトレイルの構成が確定してから（ネットワーク全体の中でのパスの位置が確定）してから行われる。このため、管理業務の矛盾（矛盾した登録等）を回避する事が出来る。また、連携機能の評価としては、カテゴリ単位のＮＥ−ＯＰＳの操作画面が連携表示されることが確認できれば、以降の処理について、ＮＥ−ＯＰＳの機能に一切修正が入らない。このため、評価期間を短縮することができる。
さらに、管理システムによると、トレイル管理部２０において、ネットワーク全体のトレイル構成およびトレイル端点情報を管理することができる。このため、トレイル検索において、カテゴリ単位の内容を意識することなく、トレイル名称をＫｅｙとした検索が可能となる。また、カテゴリ単位のＮＥ−ＯＰＳにて故障を検出したトレイル名称より、ネットワーク全体の故障規模や影響範囲の検索が実施可能となる。
また、管理システムによると、新しいカテゴリのＮＥ−ＯＰＳを追加する場合でも、新しいカテゴリのＮＥおよび、ＮＥの管理機能は、全てＮＥ−ＯＰＳにて実現されるため、トレイル管理部２０においては、トレイル名称とトレイル構成に関する内容の管理機能の追加のみを行えば良く、管理しているトレイル名称やトレイル構成をパラメータとして、新カテゴリのＮＥ−ＯＰＳとの連携によりその操作画面を起動できれば、新カテゴリＮＥ−ＯＰＳとの連携を実現したことになる。
実施形態による管理システムによれば、トレイル管理機能と、ＮＥ−ＯＰＳのＮＭ機能の棲み分けを図り、ＯＰＳ間の連携を実施する。このため、従来の統合システムと比較して、トレイル管理規模を小さくする事ができる。
また、トレイル管理機能とＮＥ−ＯＰＳのＮＭ機能との棲み分けを図ったため、ＮＥ−ＯＰＳのＮＭ機能を廃止することなく、システム拡張が実施可能となる。
また、トレイル管理において、物理レイヤのトレイルに収容される論理的なトレイルについて、カテゴリ単位ＮＥ−ＯＰＳを意識することなくトレイル構成を入力することができる。このため、従来のカテゴリ単位のＮＥ−ＯＰＳの管理体系を運用者が意識する必要がなくなり、運用負荷の軽減を図ることができる。
また、トレイル構成入力（収容登録）において、他のトレイルの収容状況を把握することができるため、カテゴリ間の接合部分での入力間違い、あるいは二重収容登録等の問題を回避できる。
また、カテゴリを意識することなく、トレイル構成を管理しているため、トレイル管理において、トレイル構成を検索編集すれば、故障時等の影響検索や、作業時の影響範囲が容易に検索可能となる。
また、トレイル管理，カテゴリＮＥ−ＯＰＳの業務間で、連携が必要な画面のみを連携起動すれば良い。このため、統合が必要なカテゴリのみ連携するなど、システム導入時のイニシャルコストを抑えることも可能である。
【産業上の利用可能性】  ネットワーク管理システムは、異なるカテゴリに属する複数のネットワークが統合された統合ネットワークにおいて、各カテゴリに属するＮＥを制御・管理するＮＥ−ＯＰＳを制御するために利用することができる。
【図１】
2004054173.tif 000003
【図２】
2004054173.tif 000004
【図３】
2004054173.tif 000005
【図４】
2004054173.tif 000006
【図５】
2004054173.tif 000007
【図６】
2004054173.tif 000008
2004054173.tif 000009
2004054173.tif 000010
【図８】
2004054173.tif 000011
【図９】
2004054173.tif 000012
【図１０】
2004054173.tif 000013
【図１１】
2004054173.tif 000014
【図１２】
2004054173.tif 000015
【図１３】
2004054173.tif 000016
【図１４】
2004054173.tif 000017
【図１５】
2004054173.tif 000018
【図１６】
2004054173.tif 000019
【図１７】
2004054173.tif 000020
【図１８】
2004054173.tif 000021
【図１９】
2004054173.tif 000022
【図２０】
2004054173.tif 000023
【図２１】
2004054173.tif 000024
【図２２】
2004054173.tif 000025
【図２３】
2004054173.tif 000026
【図２４】
2004054173.tif 000027
【図２５】
2004054173.tif 000028
【国際調査報告】
2004054173.tif 000029
2004054173.tif 000030
2004054173.tif 000031
2004054173.tif 000032